(57)【要約】  本発明は無線電力伝送制御方法およびそのための装置に関し、本発明の一実施例に係る無線電力送信機の無線電力伝送制御方法は、異物検出状態パケットを受信する第１パケット受信段階と前記異物検出状態パケットに基づいて異物の存在の有無を判断する第１判断段階と前記第１判断段階の判断結果に基づいて電力を制御する電力制御段階を含み、前記電力制御段階は前記第１判断段階の判断結果異物があるものと判断されると第１電力を送信する第１電力伝送モードと前記第１判断段階の判断結果異物がないものと判断されると第２電力を送信する第２電力伝送モードを含むことができる。したがって、本発明はより効果的で正確に異物を検出できるだけでなく不要な充電の中断を最小化させることができる長所がある。【選択図】図６
2021523670.tif 000002
【特許請求の範囲】
【請求項１】
異物検出状態パケットを受信する第１パケット受信段階；
前記異物検出状態パケットに基づいて異物の存在の有無を判断する第１判断段階；および
前記第１判断段階の判断結果に基づいて電力を制御する電力制御段階を含み、
前記電力制御段階は
前記第１判断段階の判断結果異物があるものと判断されると第１電力を送信する第１電力伝送モードに制御する段階；および
前記第１判断段階の判断結果異物がないものと判断されると第２電力を送信する第２電力伝送モードに制御する段階を含む、無線電力送信機の無線電力伝送制御方法。
【請求項２】
前記第２電力は前記第１電力より大きく、
前記第２電力伝送モードで電力伝送環境の変化に基づいて前記第１電力から前記第２電力の間で電力を増加または減少させて伝送する、請求項１に記載の無線電力送信機の無線電力伝送制御方法。
【請求項３】
前記第１電力は５Ｗである、請求項２に記載の無線電力送信機の無線電力伝送制御方法。
【請求項４】
前記第２電力は１５Ｗである、請求項３に記載の無線電力送信機での無線電力伝送制御方法。
【請求項５】
前記第１電力伝送モードで異物の存在の有無を判断する第２判断段階を含む、請求項１に記載の無線電力送信機の無線電力伝送制御方法。
【請求項６】
前記第２判断段階は
伝送電力損失に基づいて異物の存在の有無を判断する第３判断段階；および
温度変化に基づいて異物の存在の有無を判断する第４判断段階のうち少なくとも一つを含む、請求項５に記載の無線電力送信機の無線電力伝送制御方法。
【請求項７】
前記第３判断段階は
伝送電力の強度を測定する段階；
前記伝送電力に対応する受信電力の強度に関する情報を無線電力受信機から受信する段階；
前記伝送電力の強度と前記受信電力の強度の差値に基づいて電力損失を推定する段階；および
一定時間の間前記推定された電力損失と所定の電力損失基準値を比較して異物の存在の有無を判断する段階を含む、請求項６に記載の無線電力送信機の無線電力伝送制御方法。
【請求項８】
前記第４判断段階は
充電領域の温度を測定する段階；
前記測定された温度に基づいて一定時間の間の温度変化を算出する段階；および
前記算出された温度変化と所定の温度変化基準値を比較して異物の存在の有無を判断する段階を含む、請求項６に記載の無線電力送信機での無線電力伝送制御方法。
【請求項９】
前記第２判断段階の判断結果異物があるものと判断されると電力伝送を中断し、前記第２判断段階の判断結果異物がないものと判断されると前記第１電力伝送モードから前記第２電力伝送モードに転換する、請求項５に記載の無線電力送信機の無線電力伝送制御方法。
【請求項１０】
異物検出状態パケットを受信する第１パケット受信段階；
前記異物検出状態パケットに基づいて異物の存在の有無を判断する第１判断段階；
前記第１判断段階の判断結果異物があるものと判断されると第１電力を送信する段階；
前記第１判断段階の判断結果異物がないものと判断されると前記第１電力から第２電力の間の電力を送信する段階；および
前記第１電力を送信する段階で伝送電力損失に基づいて異物の存在の有無を判断する第２判断段階を含む、無線電力送信機の無線電力伝送制御方法。
【請求項１１】
無線電力を伝送するアンテナ；
前記アンテナから受信された異物検出状態パケットを含む信号を復調する復調器；および
異物の存在の有無を判断する制御器を含み、
前記制御器は前記異物検出状態パケットに基づいて異物の存在の有無を１次判断し、前記１次判断結果異物があるものと判断されると第１電力が伝送されるように制御し、前記第１判断段階の判断結果異物がないものと判断されると前記第１電力から第２電力の間の電力が伝送されるように制御する、無線電力送信機。
【請求項１２】
前記制御器は前記１次判断結果異物があるものと判断されると前記第１電力伝送中に前記電力損失に基づいて異物の存在の有無を２次判断する、請求項１１に記載の無線電力送信機。
【請求項１３】
前記制御器は伝送電力の強度を決定し、
前記伝送電力に対応する受信電力の強度に関する情報を前記復調器を通じて受信し、前記伝送電力の強度と前記受信電力の強度の差値に基づいて電力損失を推定し、前記推定された電力損失と所定の電力損失基準値を比較して異物の存在の有無を判断する、請求項１２に記載の無線電力送信機。
【請求項１４】
前記制御器が
前記第２判断段階の判断結果異物があるものと判断されると電力伝送を中断し、前記第２判断段階の判断結果異物がないものと判断されると前記第１電力から前記第２電力の間の電力が伝送されるように制御する、請求項１２に記載の無線電力送信機。
【請求項１５】
前記第２電力は前記第１電力より大きく、
前記第１電力は５Ｗである、請求項１１に記載の無線電力送信機。
【発明の詳細な説明】
【技術分野】
【０００１】
本発明は無線電力伝送技術に関し、詳細には、無線充電のための無線電力伝送制御方法および装置に関する。
【背景技術】
【０００２】
最近情報通信技術が急速に発展するにつれて、情報通信技術を基盤とするユビキタス社会になりつつある。
【０００３】
いつ、どこででも情報通信機器が接続されるためには、社会のすべての施設に通信機能を有したコンピュータチップを内蔵させたセンサが設置されなければならない。したがって、これらの機器やセンサの電源供給の問題は新しい課題となっている。また、携帯電話だけでなく、ブルートゥースハンドセットとアイポッドのようなミュージックプレーヤーなどの携帯機器の種類が急激に増えるにつれて、バッテリーを充電する作業が使用者に時間と苦労を要求するようになった。このような問題を解決する方法として、無線電力伝送技術が最近になって関心を集めている。
【０００４】
無線電力伝送技術（ｗｉｒｅｌｅｓｓ  ｐｏｗｅｒ  ｔｒａｎｓｍｉｓｓｉｏｎまたはｗｉｒｅｌｅｓｓ  ｅｎｅｒｇｙ  ｔｒａｎｓｆｅｒ）は磁場の誘導原理を利用して無線で送信機から受信機に電気エネルギーを伝送する技術であって、すでに１８００年代に電磁気誘導原理を利用した電気モータや変圧器が使われ始め、その後には高周波、Ｍｉｃｒｏｗａｖｅ、レーザーなどのような電磁波を放射して電気エネルギーを伝送する方法も試みられた。私達がよく使う電動歯ブラシや一部の無線カミソリも実は電磁気誘導原理で充電される。
【０００５】
現在まで無線を利用したエネルギー伝達方式は、磁気誘導方式、磁気共振（Ｅｌｅｃｔｒｏｍａｇｎｅｔｉｃ  Ｒｅｓｏｎａｎｃｅ）方式および短波長無線周波数を利用したＲＦ伝送方式などに大別され得る。
【０００６】
磁気誘導方式は二つのコイルを互いに隣接させた後、一個のコイルに電流を流すと、この時発生した磁束（ＭａｇｎｅｔｉｃＦｌｕｘ）が他のコイルに起電力を起こす現象を使った技術であって、携帯電話のような小型の機器を中心に速く商用化が進行している。磁気誘導方式は最大数百キロワット（ｋＷ）の電力を伝送することができ、効率も高いが、最大伝送距離が１センチメートル（ｃｍ）以下であるため一般的に充電器や底に隣接させなければならない短所がある。
【０００７】
磁気共振方式は電磁気波や電流などを活用する代わりに電場や磁場を利用する特徴がある。磁気共振方式は電磁波問題の影響をほとんど受けないため、他の電子機器や人体に安全であるという長所がある。その反面、限定された距離と空間でのみ活用することができ、エネルギー伝達効率が多少低いという短所がある。
【０００８】
短波長無線電力伝送方式−簡単に、ＲＦ伝送方式−はエネルギーがラジオ波（ＲａｄｉｏＷａｖｅ）の形態で直接送受信され得るという点を活用したものである。この技術はレクテナ（ｒｅｃｔｅｎｎａ）を利用するＲＦ方式の無線電力伝送方式であって、レクテナはアンテナ（ａｎｔｅｎｎａ）と整流器（ｒｅｃｔｉｆｉｅｒ）の合成語であってＲＦ電力を直接直流電力に変換する素子を意味する。すなわち、ＲＦ方式はＡＣラジオ波をＤＣに変換して使う技術であって、最近効率が向上したことにより商用化に対する研究が活発に進行している。
【０００９】
無線電力伝送技術はモバイルだけでなく、ＩＴ、鉄道、家電産業などの産業全般に多様に活用され得る。
【００１０】
無線充電可能領域に無線電力受信機ではない伝導体−すなわち、異物（ＦＯ：Ｆｏｒｅｉｇｎ  Ｏｂｊｅｃｔ）−が存在する場合、ＦＯには無線電力送信機から送出された電磁気信号が誘導されて温度が上昇し得る。一例として、ＦＯはコイン、クリップ、ピン、ボールペンなどを含むことができる。
【００１１】
もし、無線電力受信機と無線電力送信機の間にＦＯが存在する場合、無線充電効率が顕著に落ちるだけでなく、ＦＯによる周辺温度の上昇により無線電力受信機と無線電力送信機の温度が共に上昇し得る。もし、充電領域に位置したＦＯが除去されない場合、電力の浪費がもたらされるだけでなく、過熱によって無線電力送信機および無線電力受信機の損傷を引き起こし得る。
【００１２】
また、実際に充電領域にＦＯが存在しないにも関わらず、無線電力送信機が充電領域に異物が存在するものと誤判断した場合、充電が中断されることもある。
【００１３】
したがって、充電領域に位置したＦＯを正確に検出することが無線充電技術分野で重要なイシューとして浮び上がっている。
【発明の概要】
【発明が解決しようとする課題】
【００１４】
本発明は前述した従来技術の問題点を解決するために考案されたもので、本発明の目的は無線充電のための無線電力伝送制御方法および装置を提供することである。
【００１５】
本発明の他の目的は、より正確に異物を検出することが可能な無線電力送信機を提供することである。
【００１６】
本発明のさらに他の目的は、異物検出エラーを最小化させることによって不要な充電の中断を未然に防止できる無線電力伝送制御方法および装置を提供することである。
【００１７】
本発明のさらに他の目的は、異物による機器の損傷を防止し、異物の存在の有無による適応的伝送電力制御を通じて途切れることのない充電を可能とする無線電力送信機を提供することである。
【００１８】
本発明で達成しようとする技術的課題は以上で言及した技術的課題に制限されず、言及していないさらに他の技術的課題は下記の記載から本発明が属する技術分野で通常の知識を有する者に明確に理解され得るであろう。
【課題を解決するための手段】
【００１９】
本発明は無線電力伝送制御方法およびそのための装置を提供することができる。
【００２０】
本発明の一実施例に係る無線電力送信機の無線電力伝送制御方法は、異物検出状態パケットを受信する第１パケット受信段階と前記異物検出状態パケットに基づいて異物の存在の有無を判断する第１判断段階と前記第１判断段階の判断結果に基づいて電力を制御する電力制御段階を含み、前記電力制御段階は前記第１判断段階の判断結果異物があるものと判断されると第１電力を送信する第１電力伝送モードと前記第１判断段階の判断結果異物がないものと判断されると第２電力を送信する第２電力伝送モードを含むことができる。
【００２１】
ここで、前記第２電力は前記第１電力より大きく、前記第２電力伝送モードで電力伝送環境の変化に基づいて前記第１電力から前記第２電力の間で電力が増加または減少させて伝送され得る。
【００２２】
ここで、前記第１電力は５Ｗであり得る。
【００２３】
また、前記第２電力は１５Ｗであり得る。
【００２４】
また、前記無線電力伝送制御方法は前記第１電力伝送モードで異物の存在の有無を判断する第２判断段階を含むことができる。
【００２５】
また、前記第２判断段階は、伝送電力損失に基づいて異物の存在の有無を判断する第３判断段階と温度変化に基づいて異物の存在の有無を判断する第４判断段階のうち少なくとも一つを含むことができる。
【００２６】
ここで、前記第３判断段階は、伝送電力の強度を測定する段階と前記伝送電力に対応する受信電力の強度に関する情報を無線電力受信機から受信する段階と前記伝送電力の強度と前記受信電力の強度の差値に基づいて電力損失を推定する段階と一定時間の間前記推定された電力損失と所定の電力損失基準値を比較して異物の存在の有無を判断する段階を含むことができる。
【００２７】
また、前記第４判断段階は、充電領域の温度を測定する段階と前記測定された温度に基づいて一定時間の間の温度変化を算出する段階と前記算出された温度変化と温度変化基準値を比較して異物の存在の有無を判断する段階を含むことができる。
【００２８】
また、前記第２判断段階の判断結果異物があるものと判断されると電力伝送が中断され、前記第２判断段階の判断結果異物がないものと判断されると前記第１電力伝送モードから前記第２電力伝送モードに転換され得る。
【００２９】
本発明の他の実施例に係る無線電力送信機の無線電力伝送制御方法は、異物検出状態パケットを受信する第１パケット受信段階と前記異物検出状態パケットに基づいて異物の存在の有無を判断する第１判断段階と前記第１判断段階の判断結果異物があるものと判断されると第１電力を送信する段階と前記第１判断段階の判断結果異物がないものと判断されると前記第１電力から第２電力の間の電力を送信する段階と前記第１電力を送信する段階で異物の存在の有無を判断する第２判断段階を含み、前記第２判断段階は伝送電力損失に基づいて異物の存在の有無を判断する第３判断段階と温度変化に基づいて異物の存在の有無を判断する第４判断段階のうち少なくとも一つを含むことができる。
【００３０】
本発明のさらに他の実施例に係る無線電力送信機は、無線電力を伝送するアンテナと前記アンテナから受信された異物検出状態パケットを含む信号を復調する復調器と異物の存在の有無を判断する制御器を含み、前記制御器が前記異物検出状態パケットに基づいて異物の存在の有無を１次判断し、前記１次判断結果異物があるものと判断されると第１電力が伝送されるように制御し、前記第１判断段階の判断結果異物がないものと判断されると前記第１電力から第２電力の間の電力が伝送されるように制御することができる。
【００３１】
また、前記制御器が前記１次判断結果異物があるものと判断して前記第１電力伝送中に異物の存在の有無を２次判断することができる。
【００３２】
ここで、前記２次判断は伝送電力損失に基づいて異物の存在の有無を判断する３次判断と温度変化に基づいて異物の存在の有無を判断する４次判断のうち少なくとも一つを含むことができる。
【００３３】
また、前記無線電力送信機は伝送電力の強度を測定して前記制御器に伝送するセンサをさらに含み、前記３次判断で、前記制御器が前記伝送電力に対応する受信電力の強度に関する情報を前記復調器を通じて受信し、前記伝送電力の強度と前記受信電力の強度の差値に基づいて電力損失を推定し、一定時間の間前記推定された電力損失と所定の電力損失基準値を比較して異物の存在の有無を判断することができる。
【００３４】
また、前記センサが温度を測定して前記制御器に伝送し、前記４次判断で、前記制御器が前記測定された温度に基づいて一定時間の間の温度変化を算出し、前記算出された温度変化と所定の温度変化基準値を比較して異物の存在の有無を判断することができる。
【００３５】
また、前記制御器が前記第２判断段階の判断結果異物があるものと判断されると電力伝送を中断し、前記第２判断段階の判断結果異物がないものと判断されると前記第１電力から前記第２電力の間の電力が伝送されるように制御することができる。
【００３６】
また、前記第２電力は前記第１電力より大きく、前記第１電力は５Ｗであり得る。
【００３７】
本発明のさらに他の実施例に係る無線電力送信機での無線電力伝送制御方法は、異物検出状態パケットを受信する第１パケット受信段階と前記異物検出状態パケットに基づいて異物の存在の有無を判断する第１判断段階と前記第１判断段階の判断結果に基づいて電力を調節する第１電力調節段階を含むことができる。
【００３８】
ここで、前記第１電力調節段階は
【００３９】
前記第１判断段階の判断結果異物が存在しなければ保障電力を初期設定である第２電力に維持する段階と前記第１判断段階の判断結果異物が存在すると前記保障電力を前記第２電力から第１電力に下向き調整する段階を含むことができる。
【００４０】
また、前記第１電力は５Ｗ以下であり得る。
【００４１】
また、前記第２電力は１５Ｗ以下であり得る。
【００４２】
また、前記無線電力伝送制御方法は、前記調節された電力に基づいて充電を遂行する電力伝送段階と前記電力伝送段階で異物の存在の有無を判断する第２判断段階をさらに含むことができる。
【００４３】
ここで、前記第２判断段階は
【００４４】
前記充電中に推定された電力損失に基づいて異物の存在の有無を判断する第３判断段階を含み、前記第３判断段階の判断結果異物が存在すると前記遂行中である充電が中断され得る。
【００４５】
ここで、前記第３判断段階は
【００４６】
前記充電中に伝送電力の強度を測定する段階と前記伝送電力に対応する受信電力の強度に関する情報を無線電力受信機から受信する段階と前記伝送前の強度と前記受信電力の強度の差値に基づいて電力損失を推定する段階と一定時間の間前記推定された電力損失と所定の電力損失基準値を比較して異物の存在の有無を判断する段階を含むことができる。
【００４７】
また、前記第２判断段階は
【００４８】
前記充電中の温度変化に基づいて異物の存在の有無を判断する第４判断段階を含み、前記第４判断段階の判断結果異物が存在すると前記遂行中である充電が中断され得る。
【００４９】
ここで、前記第４判断段階は
【００５０】
充電領域の温度を測定する段階と前記温度測定結果に基づいて一定時間の間の温度変化を算出する段階と前記算出された温度変化と所定の温度変化基準値を比較して異物の存在の有無を判断する段階を含むことができる。
【００５１】
また、前記第３判断段階または前記第４判断段階での判断結果異物が存在しなければ、電力伝送契約を再交渉して保障電力を再設定する再交渉段階がさらに含まれ得る。
【００５２】
また、前記第２判断段階は
【００５３】
前記充電中に推定された電力損失に基づいて異物の存在の有無を判断する第３判断段階と前記第３判断段階の判断結果異物が存在すると前記充電中に測定された温度変化に基づいて異物の存在の有無を判断する第４判断段階を含み、前記第４判断段階の判断結果異物が存在すると前記所定時間以内に前記充電のための電力伝送が中断され得る。
【００５４】
また、前記無線電力伝送制御方法は前記第１判断段階の判断結果に基づいて応答を伝送する段階をさらに含み、前記応答が異物が存在することを指示する応答であり、現在設定された保障電力が第１電力を超過すると、前記第１電力以下に電力の強度が下向き調節され得る。
【００５５】
ここで、前記第１電力は５Ｗであり得る。
【００５６】
また、前記第１判断段階は
【００５７】
前記異物検出状態パケットに含まれた基準品質因子値に基づいて品質因子臨界値を決定する段階とあらかじめ測定された品質因子値と前記品質因子臨界値を比較して異物の存在の有無を判断する段階を含むことができる。
【００５８】
本発明の他の一実施例に係る無線電力送信機は、無線電力を伝送する伝送アンテナと前記伝送アンテナの信号を復調して異物検出状態パケットを受信する復調器と前記復調された異物検出状態パケットに基づいて異物の存在の有無を判断する制御器を含み、前記制御器が前記異物の存在の有無に対する判断結果に基づいて前記無線電力の強度を調節することができる。
【００５９】
また、前記制御器が前記判断結果異物が存在しなければ保障電力を初期設定である第２電力に維持し、前記判断結果異物が存在すると前記保障電力を前記第２電力から第１電力に下向き調整することができる。
【００６０】
ここで、前記第１電力は５Ｗ以下であり得る。
【００６１】
また、前記調節された前記無線電力の強度で充電中に前記制御器が異物の存在の有無を追加判断することができる。
【００６２】
一態様において、前記制御器が前記充電中に推定された電力損失に基づいて異物の存在の有無を判断し、前記電力損失に基づいた前記判断結果異物が存在すると前記充電のための電力伝送を中断させることができる。
【００６３】
ここで、前記無線電力送信機は伝送電力の強度に関する情報を前記制御器に伝送するセンサをさらに含み、前記制御器が前記充電中に前記伝送電力の強度に関する情報と前記伝送電力に対応して無線電力受信機から受信された受信電力の強度に関する情報に基づいて電力損失を推定し、前記推定された電力損失とあらかじめ設定された電力損失基準値を比較して異物の存在の有無を判断することができる。
【００６４】
他の態様において、前記無線電力送信機は測定された温度に関する情報を前記制御器に伝送するセンサをさらに含み、前記制御器が前記充電中に前記測定された温度に関する情報を利用して算出した温度変化に基づいて異物の存在の有無を判断し、前記温度変化に基づいた前記判断結果異物が存在すると前記充電のための電力伝送を中断させることができる。
【００６５】
さらに他の態様において、前記制御器が前記充電中に推定された電力損失に基づいて異物の存在の有無を判断し、前記電力損失に基づいた判断結果異物が存在すると前記充電中に測定された温度変化に基づいて異物の存在の有無を判断し、前記温度変化に基づいた判断結果異物が存在すると所定時間以内に前記充電のための電力伝送を中断させることができる。
【００６６】
また、前記追加判断結果異物が存在しなければ前記制御器が該当無線電力受信機と電力伝送契約を再交渉して保障電力を再設定することができる。
【００６７】
また、前記制御器が前記異物の存在の有無に対する判断結果にしたがって異物が存在することを指示する応答を伝送し、現在設定された保障電力が第１電力を超過すると、前記第１電力以下に電力の強度を下向き調節することができる。
【００６８】
本発明のさらに他の一実施例は、前記無線電力伝送制御方法のうちいずれか一つの方法を実行させるためのプログラムを記録したコンピュータで読み取り可能記録媒体が提供され得る。
【００６９】
前記本発明の態様は本発明の好ましい実施例のうち一部に過ぎず、本願発明の技術的特徴が反映された多様な実施例が当該技術分野の通常の知識を有する者によって以下で詳述する本発明の詳細な説明に基づいて導き出され理解され得る。
【発明の効果】
【００７０】
本発明に係る方法、装置およびシステムに対する効果について説明すると、次の通りである。
【００７１】
本発明は無線充電のための無線電力伝送制御方法および装置を提供する長所がある。
【００７２】
また、本発明はより正確に異物を検出することが可能な無線電力送信機を提供する長所がある。
【００７３】
また、本発明は異物検出エラーを最小化させることによって不要な充電の中断を未然に防止できる無線電力伝送制御方法および装置を提供する長所がある。
【００７４】
また、本発明は異物による機器の損傷を防止し、異物の存在の有無による適応的伝送電力制御を通じて途切れることのない充電を可能とする無線電力送信機を提供する長所がある。
【００７５】
また、本発明は受信機のタイプおよび電力伝送環境により安定的に幅広い範囲の無線電力を伝送することが可能な無線電力送信機を提供できる長所がある。
【００７６】
本発明から得られる効果は以上で言及した効果に制限されず、言及していないさらに他の効果は下記の記載から本発明が属する技術分野で通常の知識を有する者に明確に理解され得るであろう。
【図面の簡単な説明】
【００７７】
【図１】本発明の一実施例に係る無線充電システムを説明するためのブロック図である。
【００７８】
【図２】本発明の他の実施例に係る無線充電システムを説明するためのブロック図である。
【００７９】
【図３】本発明の一実施例に係る無線充電システムでの感知信号伝送手続きを説明するための図面である。
【００８０】
【図４】本発明の一実施例に係る無線電力伝送手続きを説明するための状態遷移図である。
【００８１】
【図５】本発明の一実施例に係る無線電力伝送システムでの異物検出手続きを説明するためのフローチャートである。
【００８２】
【図６】本発明の一実施例に係る無線電力送信装置の構造を説明するためのブロック図である。
【００８３】
【図７】本発明の一実施例に係る前記図６の伝送アンテナの構成を説明するための図面である。
【００８４】
【図８】本発明の一実施例により前記図６に係る無線電力送信装置と連動する無線電力受信装置の構造を説明するためのブロック図である。
【００８５】
【図９】従来技術による無線電力送信機での異物検出の有無による電力伝送制御方法を説明するための図面である。
【００８６】
【図１０】本発明の一実施例に係るパケットフォーマットを説明するための図面である。
【００８７】
【図１１】本発明の一実施例に係る無線電力送信機での電力伝送制御方法を説明するためのフローチャートである。
【００８８】
【図１２】本発明の他の実施例に係る無線電力送信機での電力伝送制御方法を説明するためのフローチャートである。
【００８９】
【図１３】本発明のさらに他の一実施例に係る無線電力送信機での電力伝送制御方法を説明するための図面である。
【００９０】
【図１４】本発明のさらに他の一実施例に係る無線電力送信機での電力伝送制御方法を説明するための図面である。
【００９１】
【図１５】本発明のさらに他の一実施例に係る無線電力送信機での電力伝送制御方法を説明するための図面である。
【００９２】
【図１６ａ】送信機と受信機のバージョンが同じである時の異物検出による無線電力伝送制御方法を説明するためのフローチャートである。
【００９３】
【図１６ｂ】送信機と受信機のバージョンが異なる時の異物検出による無線電力伝送制御方法を説明するためのフローチャートである。
【００９４】
【図１６ｃ】送信機と受信機のバージョンが同じである時の異物検出による無線電力伝送制御方法を説明するためのフローチャートである。
【００９５】
【図１６ｄ】受信機より送信機が上位バージョンである時の異物検出による無線電力伝送制御方法を説明するためのフローチャートである。
【発明を実施するための形態】
【００９６】
一実施例に係る無線電力送信機の無線電力伝送制御方法は、異物検出状態パケットを受信する第１パケット受信段階と前記異物検出状態パケットに基づいて異物の存在の有無を判断する第１判断段階と前記第１判断段階の判断結果に基づいて電力を制御する電力制御段階を含み、前記電力制御段階は前記第１判断段階の判断結果異物があるものと判断されると第１電力を送信する第１電力伝送モードと前記第１判断段階の判断結果異物がないものと判断されると第２電力を送信する第２電力伝送モードを含むことができる。
【００９７】
以下、本発明の実施例が適用される装置および多様な方法について図面を参照してより詳細に説明する。以下の説明で使われる構成要素に対する接尾辞「モジュール」および「部」は明細書作成の容易さだけが考慮されて付与されたり混用されるものであって、それ自体で互いに区別される意味または役割を有するものではない。
【００９８】
また、以下の説明で使われる構成要素に対する接尾辞「モジュール」および「部」はハードウェア的な構成要素−例えば、回路素子、マイクロ・プロセッサ、メモリ、センサなどを含む−で具現され得るが、これは一つの実施例に過ぎず、該当構成要素の一部の機能または全体がソフトウェアで具現されてもよい。
【００９９】
実施例の説明において、各構成要素の「上（うえ）または下（した）」に形成されるものと記載される場合において、上（うえ）または下（した）は二つの構成要素が互いに直接接触されたり一つ以上のさらに他の構成要素が二つの構成要素の間に配置されて形成されるものをすべて含む。また「上（うえ）または下（した）」で表現される場合、一つの構成要素を基準として上側方向だけでなく下側方向の意味も含み得る。
【０１００】
実施例の説明において、無線充電システム上で無線電力を送信する機能が搭載された装置は、説明の便宜のために無線パワー送信機、無線パワー送信装置、無線電力送信装置、無線電力送信機、送信段、送信機、送信装置、送信側、無線パワーの伝送装置、無線パワーの伝送機などを混用して使うことにする。また、無線電力送信装置から無線電力を受信する機能が搭載された装置に対する表現として、説明の便宜のために無線電力受信装置、無線電力受信機、無線パワー受信装置、無線パワー受信機、受信端末機、受信側、受信装置、受信機などが混用されて使われ得る。
【０１０１】
本発明に係る送信機はパッドの形態、据置台の形態、ＡＰ（Ａｃｃｅｓｓ  Ｐｏｉｎｔ）の形態、小型基地局の形態、スタンド形態、天井埋め込み形態、壁掛け形態などで構成され得、一つの送信機は複数の無線電力受信装置にパワーを伝送してもよい。このために、送信機は少なくとも一つの無線パワーの伝送手段を具備してもよい。
【０１０２】
ここで、無線パワーの伝送手段は、電力送信段コイルで磁場を発生させてその磁場の影響で受信段コイルで電気が誘導される電磁気誘導原理を利用して充電する電磁気誘導方式に基づいた多様な無電電力伝送標準が使われ得る。一例として、無線電力伝送標準は無線充電技術標準機構であるＷＰＣ（Ｗｉｒｅｌｅｓｓ  Ｐｏｗｅｒ  Ｃｏｎｓｏｒｔｉｕｍ）ＱｉおよびＰＭＡ（Ｐｏｗｅｒ  Ｍａｔｔｅｒｓ  Ａｌｌｉａｎｃｅ）で定義された電磁気誘導方式の標準技術を含むことができるが、これに限定されはしない。
【０１０３】
また、本発明の一実施例に係る受信機は少なくとも一つの無線電力受信手段が備えられ得、１個以上の送信機から無線パワーを受信してもよい。
【０１０４】
本発明に係る受信機は携帯電話（ｍｏｂｉｌｅ  ｐｈｏｎｅ）、スマートフォン（ｓｍａｒｔ  ｐｈｏｎｅ）、ノートブックコンピュータ（ｌａｐｔｏｐ  ｃｏｍｐｕｔｅｒ）、デジタル放送用端末機、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、ナビゲーション、ＭＰ３ｐｌａｙｅｒ、電動歯ブラシ、電子タグ、照明装置、リモコン、浮き、スマートウォッチのようなウェアラブルデバイスなどの小型電子機器などに使われ得るが、これに限定されはせず、本発明に係る無線電力受信手段が装着されてバッテリーの充電が可能な機器であればよい。
【０１０５】
図１は、本発明の一実施例に係る無線充電システムを説明するためのブロック図である。
【０１０６】
図１を参照すると、無線充電システムは大きく無線で電力を送出する無線電力送信段１０、前記送出された電力を受信する無線電力受信段２０および受信された電力の供給を受ける電子機器３０で構成され得る。
【０１０７】
一例として、無線電力送信段１０と無線電力受信段２０は無線電力伝送に使われる動作周波数と同じ周波数帯域を利用して情報を交換するインバンド（Ｉｎ−ｂａｎｄ）通信を遂行することができる。
【０１０８】
インバンド通信において、無線電力送信段１０により送出された電力信号４１が無線電力受信段２０に受信されると、無線電力受信段２０は受信された電力信号を変調し、変調した信号４２が無線電力送信段１０に伝送され得る。
【０１０９】
他の一例として、無線電力送信段１０と無線電力受信段２０は無線電力伝送に使われる動作周波数と異なる別途の周波数帯域を利用して情報を交換する帯域外（Ｏｕｔ−ｏｆ−ｂａｎｄ）通信を遂行してもよい。
【０１１０】
一例として、無線電力送信段１０と無線電力受信段２０の間に交換される情報は相互の状態情報だけでなく制御情報も含まれ得る。
【０１１１】
ここで、送受信段の間に交換される状態情報および制御情報は後述する実施例の説明を通じてより明確になるであろう。
【０１１２】
前記インバンド通信および帯域外通信は両方向通信を提供することができるが、これに限定されはせず、他の実施例においては単方向通信または半二重方式の通信を提供してもよい。
【０１１３】
一例として、単方向通信は無線電力受信段２０が無線電力送信段１０にのみ情報を伝送するものであり得るが、これに限定されはせず、無線電力送信段１０が無線電力受信段２０にのみ情報を伝送するものでもよい。
【０１１４】
半二重通信方式は無線電力受信段２０と無線電力送信段１０の間の両方向通信は可能であるが、いずれか一時点でいずれか一装置によってのみ情報の伝送が可能な特徴がある。
【０１１５】
本発明の一実施例に係る無線電力受信段２０は電子機器３０の各種状態情報を獲得してもよい。
【０１１６】
一例として、電子機器３０の状態情報は現在の電力使用量情報、実行中である応用を識別するための情報、ＣＰＵ使用量情報、バッテリーの充電状態情報、バッテリー出力電圧／電流情報などを含むことができるが、これに限定されはせず、電子機器３０から獲得可能であり、無線電力の制御に活用可能な情報であればよい。
【０１１７】
特に、本発明の一実施例に係る無線電力送信段１０は高速充電支援の有無を指示する所定パケットを無線電力受信段２０に伝送することができる。
【０１１８】
無線電力受信段２０は接続された無線電力送信段１０が高速充電モードを支援するものと確認された場合、これを電子機器３０に通知することができる。
【０１１９】
電子機器３０は備えられた所定表示手段−例えば、液晶ディスプレイであり得る−を通じて高速充電が可能であることを表示することができる。
【０１２０】
図２は、本発明の他の実施例に係る無線充電システムを説明するためのブロック図である。
【０１２１】
一例として、図面符号２００ａで図示された通り、無線電力受信段２０は複数の無線電力受信装置で構成され得、一つの無線電力送信段１０に複数の無線電力受信装置が連結されて無線充電を遂行してもよい。
【０１２２】
この時、無線電力送信段１０は時分割方式で複数の無線電力受信装置に電力を分配して送出することができるが、これに限定されはせず、他の一例として、無線電力送信段１０は無線電力受信装置別に割当された異なる周波数帯域を利用して複数の無線電力受信装置に電力を分配して送出することができる。
【０１２３】
この時、一つの無線電力送信段１０に連結可能な無線電力受信装置の個数は、無線電力受信装置別要求電力量、バッテリーの充電状態、電子機器の電力消費量および無線電力送信装置の使用可能電力量のうち少なくとも一つに基づいて適応的に決定され得る。
【０１２４】
他の一例として、図面符号２００ｂで図示された通り、無線電力送信段１０は複数の無線電力送信装置で構成されてもよい。
【０１２５】
この場合、無線電力受信段２０は複数の無線電力送信装置と同時に連結され得、連結された無線電力送信装置から同時に電力を受信して充電を遂行してもよい。
【０１２６】
この時、無線電力受信段２０と連結された無線電力送信装置の個数は無線電力受信段２０の要求電力量、バッテリーの充電状態、電子機器の電力消費量、無線電力送信装置の使用可能電力量などに基づいて適応的に決定され得る。
【０１２７】
図３は、本発明の一実施例に係る無線充電システムでの感知信号伝送手続きを説明するための図面である。
【０１２８】
一例として、無線電力送信機は３個の送信コイル１１１、１１２、１１３が装着され得る。それぞれの送信コイルは一部の領域が異なる送信コイルと互いに重なり得、無線電力送信機はそれぞれの送信コイルを通じて無線電力受信機の存在を感知するための所定の感知信号１１７、１２７−例えば、デジタルピング信号−をあらかじめ定義された順序で順次送出する。
【０１２９】
前記図３に図示された通り、無線電力送信機は図面番号１１０で図示された１次感知信号送出手続きを通じて感知信号１１７を順次送出し、無線電力受信機１１５から信号強度指示子（Ｓｉｇｎａｌ  Ｓｔｒｅｎｇｔｈ  Ｉｎｄｉｃａｔｏｒ、１１６）が受信された送信コイル１１１、１１２を識別することができる。
【０１３０】
引き続き、無線電力送信機は図面番号１２０で図示された２次感知信号送出手続きを通じて感知信号１２７を順次送出し、信号強度指示子１２６が受信された送信コイル１１１、１１２のうち電力伝送効率（または充電効率）−すなわち、送信コイルと受信コイルの間の整列状態−が良い送信コイルを識別し、識別された送信コイルを通じて電力が送出されるように−すなわち、無線充電が行われるように−制御することができる。
【０１３１】
前記図３に示された通り、無線電力送信機が２回の感知信号送出手続きを遂行する理由は、どの送信コイルに無線電力受信機の受信コイルがよく整列しているかをより正確に識別するためである。
【０１３２】
もし、前記図３の図面番号１１０および１２０で図示された通り、第１送信コイル１１１、第２送信コイル１１２に信号強度指示子１１６、１２６が受信された場合、無線電力送信機は第１送信コイル１１１と第２送信コイル１１２それぞれに受信された信号強度指示子１２６に基づいて、最もよく整列された送信コイルを選択し、選択された送信コイルを利用して無線充電を遂行する。
【０１３３】
図４は、本発明の一実施例に係る無線電力伝送手続きを説明するための状態遷移図である。
【０１３４】
図４を参照すると、本発明の一実施例に係る送信機から受信機へのパワーの伝送は、大きく選択段階（Ｓｅｌｅｃｔｉｏｎ  Ｐｈａｓｅ、４１０）、ピング段階（Ｐｉｎｇ  Ｐｈａｓｅ、４２０）、識別および構成段階（Ｉｄｅｎｔｉｆｉｃａｔｉｏｎ  ａｎｄ  Ｃｏｎｆｉｇｕｒａｔｉｏｎ  Ｐｈａｓｅ、４３０）、交渉段階（Ｎｅｇｏｔｉａｔｉｏｎ  Ｐｈａｓｅ、４４０）、補正段階（Ｃａｌｉｂｒａｔｉｏｎ  Ｐｈａｓｅ、４５０）、電力伝送段階（Ｐｏｗｅｒ  Ｔｒａｎｓｆｅｒ  Ｐｈａｓｅ、４６０）段階および再交渉段階（Ｒｅｎｅｇｏｔｉａｔｉｏｎ  Ｐｈａｓｅ、４７０）に区分され得る。
【０１３５】
選択段階４１０はパワーの伝送を開始したりパワーの伝送を維持する間、特定のエラーまたは特定イベントが感知されると遷移する段階−例えば、図面符号Ｓ４０２、Ｓ４０４、Ｓ４０８、Ｓ４１０およびＳ４１２を含む−であり得る。
【０１３６】
ここで、特定のエラーおよび特定イベントは以下の説明を通じて明確になるであろう。
【０１３７】
また、選択段階４１０で送信機はインターフェースの表面に物体が存在するかをモニタリングすることができる。
【０１３８】
もし、送信機がインターフェースの表面に物体が置かれたことを感知すると、ピング段階４２０に遷移することができる（Ｓ４０３）。
【０１３９】
一例として、選択段階４１０で送信機は非常に短いパルスのアナログピング（Ａｎａｌｏｇ  Ｐｉｎｇ）信号を伝送し、送信コイル（または１次コイル（Ｐｒｉｍａｒｙ  Ｃｏｉｌ））の電流変化に基づいてインターフェースの表面の活性領域（Ａｃｔｉｖｅ  Ａｒｅａ）に物体が存在するかを感知することができる。ここで、活性領域は受信機が配置されて無線充電が可能な領域を意味し得る。
【０１４０】
他の一例として、選択段階４１０で送信機は備えられたセンサを利用してインターフェースの表面の活性領域（Ａｃｔｉｖｅ  Ａｒｅａ）に物体が存在するかを感知してもよい。
【０１４１】
一例として、センサはホールセンサ、圧力センサ、静電容量センサ、電流センサ、電圧センサ、光感知センサなどを含むことができ、これらのうち少なくとも一つのセンサを通じて活性領域に配置された物体を感知することができる。
【０１４２】
選択段階４１０で物体が感知された場合、無線電力送信機は備えられたＬＣ共振回路−例えば、ＬＣ共振回路は直列に連結されたコイル（インダクター）および共振キャパシタを含んで構成される−に相応する品質因子を測定することができる。
【０１４３】
本発明の一実施例に係る送信機は選択段階４１０で物体が感知されると、充電領域に異物と共に無線電力受信機が配置されたかを判断するために品質因子（Ｑｕａｌｉｔｙ  Ｆａｃｔｏｒ）値を測定することができる。
【０１４４】
ここで、品質因子値はピング段階４２０への進入前に測定され得る。また、品質因子値は送信コイルを通じての電力伝送が一時中断された状態で測定され得る。
【０１４５】
一例として、品質因子値はあらかじめ定義された基準動作周波数に対して測定され得る。
【０１４６】
他の一例として、品質因子値は無線電力伝送に使われる動作周波数帯域内で一定の周波数単位でサンプリングして測定されてもよい。
【０１４７】
本発明の一実施例に係る送信機は動作周波数帯域内で測定された品質因子値のうち最大値を有する品質因子値に対応する周波数値を確認し、これをメモリに保存することができる。以下説明の便宜のために動作周波数帯域内の品質因子値が最大である周波数を品質因子ピーク周波数（Ｑｕａｌｉｔｙ  Ｆａｃｔｏｒ  Ｐｅａｋ  Ｆｒｅｑｕｅｎｃｙ）または説明の便宜のために簡単にピーク周波数と命名することにする。
【０１４８】
動作周波数帯域に相応して測定される品質因子値の分布および品質因子ピーク周波数は無線電力送信機のタイプにより異なり得る。
【０１４９】
特に、同一の動作周波数に対して受信機を認証するために使われる送信機−以下説明の便宜のために「認証用送信機」と命名する−とＬＣＲメータを利用して測定された品質因子値は商用送信機で測定された品質因子値と相異なることもできる。
【０１５０】
無線電力送信機はピング段階４２０で信号強度パケットが受信されると、識別および構成段階４３０に進入することができる（Ｓ４０３）。
【０１５１】
無線電力送信機は識別および構成手続きが正常に完了すると、交渉段階４４０に進入することができる（Ｓ４０５）。
【０１５２】
また、無線電力送信機は識別および構成手続きが正常に完了すると、受信機のタイプにより電力伝送段階４６０に進入してもよい（Ｓ４０６）。
【０１５３】
無線電力送信機は交渉段階４４０に進入すると、無線電力受信機から基準品質因子値が含まれた異物検出状態パケット（Ｆｏｒｅｉｇｎ  Ｏｂｊｅｃｔ  Ｄｅｔｅｃｔｉｏｎ  Ｓｔａｔｕｓ  Ｐａｃｋｅｔ）を受信することができる。
【０１５４】
無線電力送信機は受信された基準品質因子値に基づいて品質因子臨界値を決定することができる。
【０１５５】
その後、無線電力送信機は測定された品質因子値と品質因子臨界値を比較して異物の存在の有無を判断することができる。
【０１５６】
しかし、基準品質因子値に基づいて決定された所定品質因子臨界値と測定された品質因子値を単純比較して異物の存在の有無を検出する異物検出方法が商用送信機に適用される場合、異物検出に対する正確度が低くなり得る。
【０１５７】
ここで、基準品質因子値は認証用送信機の充電領域に異物が配置されていない状態で測定された基準動作周波数での品質因子値を意味する。
【０１５８】
交渉段階４４０で受信された基準品質因子値とピング段階４２０前に測定された基準動作周波数に相応する品質因子値−以下、説明の便宜のために現在の品質因子値と命名する−を比較して異物の存在の有無を判断することができる。
【０１５９】
しかし、基準品質因子値が測定された送信機−すなわち、認証用送信機−と現在の品質因子値が測定された送信機は互いに異なり得る。したがって、異物の存在の有無を判断するための決定された品質因子臨界値は正確ではないこともある。
【０１６０】
したがって、本発明の一実施例に係る送信機は、該当送信機のタイプに対応する基準品質因子値を無線電力受信機から受信し、受信された基準品質因子値に基づいて品質因子臨界値を決定してもよい。
【０１６１】
送信コイルは周辺環境の変化によりインダクタンスおよび／または該当送信コイル内の直列抵抗成分が減少し得、これによって該当送信コイルでの共振周波数が変更（シフト）され得る。すなわち、動作周波数帯域内の最大品質因子値が測定される周波数である品質因子ピーク周波数が移動され得る。
【０１６２】
一例として、無線電力受信機は高い透磁率を有するマグネチックシールド（遮蔽材）を含むため、高い透磁率は送信コイルで測定されるインダクタンス値を増加させることができる。反面、金属タイプの異物はインダクタンス値を減少させることができる。
【０１６３】
一般的にＬＣ共振回路の場合、共振周波数（ｆ＿ｒｅｓｏｎａｎｔ）は
【数１】
2021523670.tif 000003
で計算される。
【０１６４】
送信機の充電領域に無線電力受信機のみが配置されるとＬ値が増加するため、共振周波数は小さくなる。すなわち、共振周波数は周波数軸上で左に移動（シフト）することになる。
【０１６５】
反面、送信機の充電領域に異物が配置されるとＬ値が減少するため、共振周波数は大きくなる。すなわち、共振周波数は周波数軸上で右側に移動（シフト）することになる。
【０１６６】
本発明の他の一実施例に係る送信機は品質因子ピーク周波数の変化に基づいて充電領域に配置された異物の存在の有無を判断してもよい。
【０１６７】
送信機は該当送信機のタイプに対応してあらかじめ設定された品質因子ピーク周波数−以下、説明の便宜のために「基準品質因子ピーク周波数（ｐｆ＿ｒｅｆｅｒｅｎｃｅ）」または「基準ピーク周波数」と命名する−に関する情報を受信機から獲得したりあらかじめ所定記録領域に維持することができる。
【０１６８】
送信機は充電領域に物体が配置されたことを感知すると、ピング段階４２０への進入前に動作周波数帯域内の品質因子値を測定し、測定結果に基づいて品質因子ピーク周波数を識別することができる。ここで、識別された品質因子ピーク周波数を基準品質因子ピーク周波数と区分するために「測定品質因子ピーク周波数（ｐｆ＿ｍｅａｓｕｒｅｄ）」または「測定ピーク周波数」と命名することにする。
【０１６９】
交渉段階４３０で送信機は基準品質因子ピーク周波数と測定品質因子ピーク周波数に基づいて異物の存在の有無を判断してもよい。
【０１７０】
もし、基準品質因子ピーク周波数に関する情報が受信機から受信される場合、識別および構成段階４３０または交渉段階４４０で所定パケットを通じて受信され得る。
【０１７１】
一例として、送信機は識別および構成段階４３０は自身の送信機のタイプに関する情報を受信機に伝送することができる。受信機は受信された送信機のタイプ情報に対応してあらかじめ保存された基準品質因子ピーク周波数を該当メモリから読み出し、読み出された基準品質因子ピーク周波数に関する情報を送信機に伝送することができる。
【０１７２】
本発明のさらに他の一実施例に係る送信機は、品質因子ピーク周波数に基づいた異物検出方法と品質因子値に基づいた異物検出方法をすべて利用して異物の存在の有無を判断してもよい。一例として、送信機のタイプに対応する基準品質因子値と測定された品質因子値の比較結果、大差がない場合−例えば、両値間の差が１０％以下である場合−、送信機のタイプに対応する基準品質因子ピーク周波数と測定された品質因子ピーク周波数を比較して異物の存在の有無を判断してもよい。反面、両品質因子値の差が１０％を超過する場合、送信機は直ちに異物が存在するものと判断することができる。
【０１７３】
他の実施例で、送信機のタイプに対応する基準品質因子値に基づいて決定された品質因子臨界値と測定された品質因子値の比較結果異物がないものと判断される場合、送信機は送信機のタイプに対応する基準品質因子ピーク周波数と測定された品質因子ピーク周波数を比較して異物の存在の有無を判断してもよい。
【０１７４】
送信機は品質因子値に基づいて異物を検出することが容易でない場合、識別された受信機に該当送信機のタイプに対応する基準品質因子ピーク周波数に関する情報を要請してもよい。この後、送信機は基準品質因子ピーク周波数に関する情報が受信機から受信されると、基準品質因子ピーク周波数と測定品質因子ピーク周波数を利用して異物の存在の有無を判断することができる。これを通じて、送信機は充電領域に配置された異物をより正確に検出することができる。
【０１７５】
送信機は物体を感知すると、ピング段階４２０に進入して受信機を活性化（Ｗａｋｅ  ｕｐ）させ、感知された物体が無線電力受信機であるかを識別するためのデジタルピング（Ｄｉｇｉｔａｌ  Ｐｉｎｇ）を伝送することができる。
【０１７６】
ピング段階４２０で送信機はデジタルピングに対する応答シグナル−例えば、信号強度パケット−を受信機から受信しなければ、再び選択段階４１０に遷移することができる。
【０１７７】
また、ピング段階４２０で送信機は受信機からパワーの伝送が完了したことを指示する信号−すなわち、充電完了パケット−を受信すると、選択段階４１０に遷移してもよい。
【０１７８】
ピング段階４２０が完了すると、送信機は受信機を識別して受信機構成および状態情報を収集するための識別および構成段階４３０に遷移することができる。
【０１７９】
送信機は識別および構成段階４３０で送信機のタイプに関する情報を受信機に伝送してもよい。
【０１８０】
受信機は識別および構成段階４３０で送信機のタイプに関する情報を送信機に要求してもよく、送信機は受信機の要求により送信機のタイプに関する情報を受信機に伝送してもよい。
【０１８１】
また、識別および構成段階４３０で送信機は所望しないパケットが受信されたり（ｕｎｅｘｐｅｃｔｅｄ  ｐａｃｋｅｔ）、あらかじめ定義された時間の間所望のパケットが受信されなかったり（ｔｉｍｅ  ｏｕｔ）、パケット伝送エラーがあったり（ｔｒａｎｓｍｉｓｓｉｏｎ  ｅｒｒｏｒ）、パワー伝送契約が設定されないと（ｎｏ  ｐｏｗｅｒ  ｔｒａｎｓｆｅｒ  ｃｏｎｔｒａｃｔ）選択段階４１０に遷移することができる。
【０１８２】
送信機は識別および構成段階４３０で受信された構成パケット（Ｃｏｎｆｉｇｕｒａｔｉｏｎ  ｐａｃｋｅｔ）の交渉フィールド（Ｎｅｇｏｔｉａｔｉｏｎ  Ｆｉｅｌｄ）値に基づいて交渉段階４４０への進入が必要であるかどうかを確認することができる。
【０１８３】
確認結果、交渉が必要であれば、送信機は交渉段階４４０に進入して所定ＦＯＤ検出手続きを遂行することができる。
【０１８４】
反面、確認結果、交渉が必要でない場合、送信機は直ちに電力伝送段階４６０に進入してもよい。
【０１８５】
一実施例に係る無線電力送信機は識別および構成段階４３０で該当無線電力受信機が第１電力伝送モードのみを支援する受信機であるものと確認された場合、交渉段階４４０を遂行せず、直ちに電力伝送段階４６０に進入することができる。
【０１８６】
無線電力送信機は電力伝送段階４６０への進入後、周期的に所定異物検出手続きを遂行することができる。
【０１８７】
ここで、異物検出手続きは品質因子値に基づいた異物検出手続きであり得るが、これに限定されはせず、電力損失（Ｐｏｗｅｒ  ｌｏｓｓ）に基づいた異物検出手続きが適用され得る。
【０１８８】
電力損失に基づいた異物検出手続きは無線電力送信機の伝送電力と無線電力受信機の受信電力の差を所定基準値と比較して異物の存在の有無を判断する方法であって、詳しい手続きは後述する図面の説明を通じてより明確になるであろう。
【０１８９】
一例として、交渉段階４４０で、送信機は基準品質因子値が含まれた異物検出状態パケット（ＦＯＤ（Ｆｏｒｅｉｇｎ  Ｏｂｊｅｃｔ  Ｄｅｔｅｃｔｉｏｎ）Ｓｔａｔｕｓ  Ｐａｃｋｅｔ）を受信することができる。または送信機のタイプに対応する基準ピーク周波数値が含まれたＦＯＤ  Ｓｔａｔｕｓ  Ｐａｃｋｅｔを受信することができる。
【０１９０】
他の一例として、交渉段階４４０で送信機は送信機のタイプに対応する基準品質因子値および基準ピーク周波数値が含まれた状態パケットを受信してもよい。この時、送信機は送信機のタイプに対応する基準品質因子値に基づいて異物検出のための品質因子臨界値を決定することができる。
【０１９１】
送信機は送信機のタイプに対応する基準品質因子ピーク周波数値に基づいて異物検出のための品質因子ピーク周波数臨界値を決定してもよい。
【０１９２】
送信機は決定された品質因子臨界値および（または）決定された品質因子ピーク周波数臨界値を測定された品質因子値−ピング段階４２０前に測定された品質因子値を意味する−および（または）測定品質因子ピーク周波数値と比較して充電領域に配置された異物を検出してもよい。
【０１９３】
送信機は異物検出結果により電力伝送を制御することができる。一例として、異物が検出された場合、送信機は異物検出状態パケットに対する応答としてネガティブ応答パケット（Ｎｅｇａｔｉｖｅ  ａｃｋｎｏｗｌｅｄｇｅ  ｐａｃｋｅｔ）を受信機に伝送することができる。これに伴い、電力伝送が中断され得るが、これに限定されはしない。
【０１９４】
送信機は決定された品質因子ピーク周波数臨界値および測定品質因子ピーク周波数値を比較して充電領域に配置された異物を検出することができる。送信機は異物検出結果により電力伝送を制御することができる。一例として、異物が検出された場合、送信機は異物検出状態パケット（ＦＯＤ  Ｓｔａｔｕｓ  Ｐａｃｋｅｔ）に対する応答としてＮＡＣＫパケット（Ｎｅｇａｔｉｖｅ  ａｃｋｎｏｗｌｅｄｇｅ  ｐａｃｋｅｔ）を受信機に伝送することができる。これに伴い、電力伝送が中断され得るが、これに限定されはしない。
【０１９５】
異物が検出された場合、送信機は受信機から充電終了メッセージ（Ｅｎｄ  ｏｆ  Ｃｈａｒｇｅ  Ｍｅｓｓａｇｅ）を受信することができ、それにより選択段階４１０に進入することができる。
【０１９６】
本発明の他の実施例に係る送信機は交渉段階４４０で異物が検出された場合、電力伝送段階４６０に進入してもよい（Ｓ４１５）。
【０１９７】
反面、異物が検出されない場合、送信機は送信電力に対する交渉段階４４０を完了し、補正段階４５０を経て電力伝送段階４６０に進入してもよい（Ｓ４０７およびＳ４０９）。
【０１９８】
詳細には、異物が検出されない場合、送信機は補正段階４５０に進入すると受信段で受信された電力の強度を確定し、送信段で伝送する電力の強度を決定するために送信段と受信段の間の電力損失を測定することができる。
【０１９９】
一例として、送信機は電力伝送中に受信段からフィードバックされる受信電力の強度情報に基づいて受信機への受信電力の強度を確定することができる。すなわち、送信機は補正段階４５０で送信段での伝送電力と受信段での受信電力の間の強度差に基づいて電力損失を予測（または算出）することができる。
【０２００】
電力伝送段階４６０で、送信機は所望しないパケットが受信されたり（ｕｎｅｘｐｅｃｔｅｄ  ｐａｃｋｅｔ）、あらかじめ定義された時間の間所望のパケットが受信されなかったり（ｔｉｍｅ  ｏｕｔ）、既設定されたパワー伝送契約に対する違反が発生したり（ｐｏｗｅｒ  ｔｒａｎｓｆｅｒ  ｃｏｎｔｒａｃｔ  ｖｉｏｌａｔｉｏｎ）、充電が完了した場合、選択段階４１０に進入することができる（Ｓ４１０）。
【０２０１】
また、電力伝送段階４６０で、送信機は送信機の状態変化などによりパワー伝送契約を再構成する必要がある場合、再交渉段階４７０に遷移することができる（Ｓ４１１）。この時、再交渉が正常に完了すると、送信機は電力伝送段階４６０に回帰することができる（Ｓ４１３）。
【０２０２】
前記したパワー伝送契約は送信機と受信機の状態および特性情報に基づいて設定され得る。一例として、送信機状態情報は最大伝送可能パワーに対する情報、最大収容可能受信機の個数に対する情報などを含むことができ、受信機状態情報は要求電力に対する情報などを含むことができる。
【０２０３】
本発明の実施例に係る無線電力送信機は、無線電力受信機によって要求される保障電力に基づいて第１電力伝送モードのうち第２電力伝送モードのうちいずれか一つの動作モードで動作することができる。
【０２０４】
本発明の他の実施例に係る無線電力送信機は、異物の存在の有無に対する判断結果に基づいて第１電力伝送モードのうち第２電力伝送モードのうちいずれか一つの動作モードで動作することができる。
【０２０５】
無線電力送信機に連結される無線電力受信機は、第１電力伝送モードのみを支援する受信機や第１電力伝送モードおよび第２電力伝送モードをすべて支援する受信機であり得る。
【０２０６】
ここで、第２電力伝送モードに相応して設定可能な保障電力は第１電力伝送モードで設定可能な保障電力より大きくてもよい。
【０２０７】
一例として、第１電力伝送モードで設定可能な保障電力は第１電力−例えば、５Ｗまたは５Ｗ以下−であり、第２電力伝送モードで設定可能な保障電力は第１電力より大きく、第２電力−例えば、１５Ｗ−より小さくてもよい。
【０２０８】
図５は、本発明の一実施例に係る無線電力伝送システムでの異物検出手続きを説明するためのフローチャートである。
【０２０９】
詳細には、図５は第２電力伝送モードでの異物検出手続きを説明するための図面である。
【０２１０】
図５を参照すると、無線電力送信機５１０は選択段階で物体が感知されると、ピング段階への進入前に所定基準動作周波数での品質因子値を測定することができる（Ｓ５０１）。ここで、基準動作周波数は共振周波数（ｒｅｓｏｎａｎｃｅ  ｆｒｅｑｕｅｎｃｙ）であり得るが、これに限定されはしない。無線電力送信機５１０は測定された品質因子値を内部メモリに保存することができる（Ｓ５０２）。
【０２１１】
無線電力送信機５１０はピング段階に進入して前記図３で説明された感知信号伝送手続きを遂行できる（Ｓ５０３）。
【０２１２】
無線電力送信機５１０は無線電力受信機５２０が感知されると、識別および構成段階に進入して識別パケットおよび構成パケットを受信することができる（Ｓ５０４およびＳ５０５）。
【０２１３】
無線電力送信機５１０は交渉段階に進入して異物検出状態パケットを無線電力受信機５２０から受信することができる（Ｓ５０６）。ここで、異物検出状態パケットは基準品質因子値を含むことができる。
【０２１４】
無線電力受信機５１０は異物検出状態パケットに含まれた基準品質因子値に基づいて異物の存在の有無の判断のための臨界値を決定することができる（Ｓ５０７）。
【０２１５】
一例として、臨界値は基準品質因子値より所定比率だけ小さい値に決定され得る。
【０２１６】
無線電力送信機５１０は測定された品質因子値と決定された臨界値を比較して異物を検出することができる（Ｓ５０８）。ここで、測定された品質因子値が臨界値より小さければ、無線電力送信機５１０は充電領域に異物が存在するものと判断することができる。
【０２１７】
無線電力送信機５１０は異物検出結果によりＡＣＫ応答またはＮＡＣＫ応答またはＮＤ（Ｎｏ  Ｄｅｃｉｓｉｏｎ）応答を無線電力受信機５２０に伝送することができる（Ｓ５０９）。
【０２１８】
無線電力受信機５２０は無線電力送信機５１０からＮＡＣＫ応答またはＮＤ応答が受信されると、無線電力送信機５１０により電力伝送が完全に中断されるまで自身の出力端子を通じて電子機器（またはバッテリー／負荷）に一定の強度以上の電力が供給されないように制御することができる。
【０２１９】
ここで、一定の強度以上の電力は５Ｗが基準であり得るが、これに限定されはせず、当業者の設計および無線電力受信機５１０が搭載された電子機器および（または無線電力受信機５１０と連結されたバッテリー／負荷）により異なって定義され得る。
【０２２０】
図６は、本発明の一実施例に係る無線電力送信装置の構造を説明するためのブロック図である。
【０２２１】
図６を参照すると、無線電力送信装置６００は制御器６１０、ゲートドライバ（Ｇａｔｅ  Ｄｒｉｖｅｒ、６２０）、インバータ（Ｉｎｖｅｒｔｏｒ、６３０）、伝送アンテナ６４０、電源６５０、電力供給器（Ｐｏｗｅｒ  Ｓｕｐｐｌｙ、６６０）、センサ６７０および復調器６８０を含んで構成され得る。
【０２２２】
電力供給器６６０は電源６５０から印加される直流電力または交流電力を変換してインバータ６３０に提供することができる。以下、説明の便宜のために、電力供給器６６０からインバータ６３０に供給される電圧をインバータ入力電圧またはヴィーレール（Ｖ＿ｒａｉｌ）と命名することにする。
【０２２３】
電力供給器６６０は電源６５０から印加される電力のタイプにより、交流／直流変換器（ＡＣ／ＤＣ  Ｃｏｎｖｅｒｔｅｒ）および直流／直流変換器（ＤＣ／ＤＣ  Ｃｏｎｖｅｒｔｅｒ）のうち少なくとも一つを含んで構成され得る。
【０２２４】
一例として、電力供給器６６０はスイッチングモード電力供給器（Ｓｗｉｔｃｈｉｎｇ  Ｍｏｄｅ  Ｐｏｗｅｒ  Ｓｕｐｐｌｙ、ＳＭＰＳ）であり得、スイッチングトランジスタ、フィルタおよび整流器などを利用して交流電源を直流電源に変換するスイッチ制御方式を使うことができる。ここで、整流器およびフィルタが独立的に構成されてＡＣ電源とＳＭＰＳの間に配置されてもよい。
【０２２５】
ＳＭＰＳは半導体スイッチ素子のオン／オフ（ｏｎ／ｏｆｆ）時間比率を制御して出力が安定化された直流電源を該当デバイス、または回路素子に供給する電源装置であって、高効率、小型および軽量化が可能であるため多くの電子機器および装備などに広く使われている。
【０２２６】
電源の品質により電子回路の動作の安定性や精密度が左右される場合が多い。一般的にバッテリーおよび商用ＡＣ電源から安定的に電源を変換して供給する方式には、大きく線形制御（ｓｅｒｉｅｓ  ｒｅｇｕｌａｔｏｒ）方式とスイッチモード（ｓｗｉｔｃｈｅｄ  ｍｏｄｅ）方式がある。
【０２２７】
ＴＶ受像機やＣＲＴモニターなどに使われる線形制御方式は、周囲回路が簡単で価格が安いものの、熱の発生が多く電源効率が低く体積が大きいという短所がある。
【０２２８】
一方、スイッチングモード方式は、熱の発生がほとんどなく、電力効率が高く、体積が小さいという利点がある反面、価格が高く、回路が複雑で高周波スイッチングによる出力ノイズと電磁波の干渉が発生し得る短所がある。
【０２２９】
他の一例として、電力供給器６６０は可変ＳＭＰＳ（Ｖａｒｉａｂｌｅ  Ｓｗｉｔｃｈｉｎｇ  Ｍｏｄｅ  Ｐｏｗｅｒ  Ｓｕｐｐｌｙ）が使われ得る。可変ＳＭＰＳは交流電源（ＡＣ  Ｐｏｗｅｒ  Ｓｕｐｐｌｙ）から出力される数十Ｈｚ帯域のＡＣ電圧をスイッチングおよび整流してＤＣ電圧を生成する。
【０２３０】
可変ＳＭＰＳ（Ｖａｒｉａｂｌｅ  ＳＭＰＳ）は一定レベルのＤＣ電圧を出力したり、送信制御器（Ｔｘ  Ｃｏｎｔｒｏｌｌｅｒ）の所定の制御によりＤＣ電圧の出力レベルを調整してもよい。可変ＳＭＰＳは無線電力送信機の電力増幅器が常に効率が高い飽和領域で動作できるように、電力増幅器−すなわち、インバータ５３０−の出力電力レベルに応じて供給電圧を制御してすべての出力レベルで最大効率を維持するようにすることができる。
【０２３１】
可変ＳＭＰＳの代わりに一般的に使われる商用ＳＭＰＳを使う場合には、追加的に可変ＤＣ／ＤＣ変換器（Ｖａｒｉａｂｌｅ  ＤＣ／ＤＣ）を使うことができる。商用ＳＭＰＳと可変ＤＣ／ＤＣ変換器は電力増幅器が効率が高い飽和領域で動作できるように、電力増幅器の出力電力レベルに応じて供給電圧を制御してすべての出力レベルで最大効率を維持するようにすることができる。一実施例において、電力増幅器はＣｌａｓｓ  Ｅタイプが使われ得るが、これに限定されはしない。
【０２３２】
インバータ６３０はゲートドライバ６２０を通じて受信される数ＭＨｚ〜  数十ＭＨｚ帯域のスイッチングパルス信号−すなわち、パルス幅変調（Ｐｕｌｓｅ  Ｗｉｄｔｈ  Ｍｏｄｕｌａｔｅｄ）信号−によって一定レベルのＤＣ電圧（Ｖ＿ｒａｉｌ）をＡＣ電圧に変換することによって無線で伝送される交流電力を生成することができる。
【０２３３】
この時、ゲートドライバ６２０は制御器６１０から供給されるリファレンスクロックＲｅｆ＿ＣＬＫ信号を利用してインバータ６３０に含まれた複数のスイッチを制御するための複数のＰＷＭ信号ＳＣ＿０〜  ＳＣ＿Ｎを生成することができる。
【０２３４】
ここで、インバータ６３０がハーフブリッジ回路を含む場合、Ｎは１であり、インバータ６３０がフルブリッジ回路を含む場合、Ｎは３であり得るが、これに限定されはせず、インバータ６３０の設計の形態によりインバータタイプ別に異なる個数のＰＷＭ信号が供給されてもよい。
【０２３５】
例えば、図６の実施例でインバータ６３０が４個のスイッチを含むフルブリッジ回路を含む場合、インバータ６３０はそれぞれのスイッチを制御するための４個のＰＷＭ信号ＳＣ＿０、ＳＣ＿１、ＳＣ＿２、ＳＣ＿３をゲートドライバ６２０から受信することができる。
【０２３６】
反面、図６の実施例でインバータ６３０が２個のスイッチを含むハーフブリッジ回路を含む場合、インバータ６３０はそれぞれのスイッチを制御するための２個のＰＷＭ信号ＳＣ＿０、ＳＣ＿１をゲートドライバ６２０から受信することができる。
【０２３７】
伝送アンテナ６４０はインバータ６３０から受信される交流電力信号を無線で伝送するための少なくとも一つの電力伝送アンテナ（図示されず）−例えば、ＬＣ共振回路−およびインピーダンスマッチングのためのマッチング回路（図示されず）を含んで構成され得る。
【０２３８】
また、伝送アンテナ６４０に複数の送信コイルが備えられる場合、伝送アンテナ６４０は複数の送信コイルのうち無線電力伝送に使われる送信コイルを選択するためのコイル選択回路（図示されず）がさらに含まれてもよい。
【０２３９】
センサ６７０はインバータ６３０から入力される電力／電圧／電流の強度または（および）伝送アンテナ６４０に備えられた送信コイルに流れる電力／電圧／電流の強度、無線電力送信機の内部の特定位置−例えば、送信コイル、充電ベッド、制御回路基板などを含むことができる−での温度および（または）温度変化などを測定するための各種センシング回路を含んで構成され得る。ここで、センサ６７０によりセンシングされた情報は制御器６１０に伝達され得る。
【０２４０】
また、センサ６７０は選択段階４１０、５１０でアナログピングが伝送される間送信コイルを流れる電流の強度を測定して制御器６１０に伝達することができる。制御器６１０は選択段階で送信コイルに流れる電力の強度情報と所定基準値を比較して充電領域に配置された物体の存在の有無を感知することができる。
【０２４１】
無線電力送信機６００が無線電力受信機とインバンド通信を遂行する場合、無線電力送信機６００は伝送アンテナ６４０と連結された復調器６８０を含むことができる。
【０２４２】
復調器６８０は振幅変調したインバンド信号を復調して制御器６１０に伝達することができる。
【０２４３】
一例として、制御器６１０は復調器６８０から受信された復調信号に基づいて伝送したデジタルピングに対応する信号強度指示子（Ｓｉｇｎａｌ  Ｓｔｒｅｎｇｔｈ  Ｉｎｄｉｃａｔｏｒ）の受信の有無を確認することができる。
【０２４４】
制御器６１０は選択段階４１０で充電領域に配置された物体を感知すると、ピング段階４２０に進入して伝送アンテナ６４０を通じてデジタルピングが伝送されるように制御することができる。
【０２４５】
制御器６１０は選択段階４１０で充電領域に配置された物体を感知すると、ピング段階に進入する前に電力伝送を一時中断して品質因子値を測定することができる。ここで、測定された品質因子値は無線電力送信機６００に備えられた所定メモリ（図示されず）に維持され得る。
【０２４６】
制御器６１０はピング段階で信号強度指示子の受信が確認されると、デジタルピング伝送を中断して識別および構成段階４３０に進入して識別パケットおよび構成パケットを受信することができる。
【０２４７】
制御器６１０は電力伝送段階４６０への進入後電力伝送終了パケットが受信されると、電力伝送を中断し、選択段階４１０に進入することができる。
【０２４８】
また、制御器６１０は充電領域に異物が存在する場合、電力伝送を中断して選択段階４１０に進入してもよい。
【０２４９】
一実施例に係る、制御器６１０は無線電力受信機から受信される受信信号強度パケットに基づいて無線電力伝送経路上の電力損失を算出（または推定）することができる。制御器６１０は算出（または推定）された電力損失に基づいて異物の存在の有無を判断してもよい。
【０２５０】
他の実施例に係る、制御器６１０はセンサ６７０から受信された温度センシング情報または無線電力受信機から受信される温度測定情報に基づいて温度変化を測定することができる。制御器６１０は測定された温度変化に基づいて異物の存在の有無を判断してもよい。
【０２５１】
さらに他の実施例に係る、制御器６１０は電力損失を推定し、推定された電力損失に基づいた異物の存在の有無の判断結果により温度変化に基づいた異物の存在の有無の判断手続きを遂行してもよい。
【０２５２】
さらに他の実施例に係る、制御器６１０は温度変化に基づいた異物の存在の有無の判断結果により電力損失に基づいた異物の存在の有無の判断手続きを遂行してもよい。
【０２５３】
また、本発明に係る制御器６１０は交渉段階４４０でＦＯＤ状態パケットを受信すると、受信されたＦＯＤ状態パケットに基づいて異物検出のための臨界値を決定し、決定された臨界値に基づいて異物の存在の有無を判断してもよい。
【０２５４】
ここで、ＦＯＤ状態パケットは基準品質因子値、共振周波数、共振周波数での品質因子値のうち少なくとも一つを含むことができる。
【０２５５】
制御器６１０は電力伝送段階４６０で復調器６８０を通じてリッピングコードまたは過熱コードが含まれた電力伝送終了パケットが受信される場合、電力伝送を中断し、選択段階４１０に進入してリッピングタイマーを駆動させてもよい。
【０２５６】
制御器６１０は駆動されたリッピングタイマーが満了するまでアナログピングの伝送およびビープ信号の出力を抑制させることができる。その後、リッピングタイマーが満了すると、制御器６１０はピング段階４２０に進入して伝送アンテナ６４０を通じてデジタルピングが伝送されるように制御することができる。
【０２５７】
制御器６１０は感知された受信機に対する識別および構成が完了した後、リッピングコードまたは過熱コードが含まれた電力伝送終了パケットが受信されると、リッピング時間を再設定した後に選択段階４１０に回帰することができる。
【０２５８】
本発明の実施例に係る無線電力送信機６００の動作モードは第１電力伝送モードおよび第２電力伝送モードを含むことができる。
【０２５９】
制御器６１０は交渉段階４４０での異物の存在の有無に対する判断結果に基づいて、第１電力伝送モードと第２電力伝送モードのうちいずれか一つの動作モードで動作させることができる。
【０２６０】
ここで、第２電力伝送モードでの保障電力は第１電力伝送モードの保障電力（または最大伝送電力）より大きくてもよい。
【０２６１】
一例として、第１電力伝送モードでの保障電力は５Ｗ−以下、第１電力と命名する−であり、第２電力伝送モードでの保障電力は１５Ｗ−以下、第２電力と命名する−であり得る。
【０２６２】
他の一例として、第１電力伝送モードでの保障電力は５Ｗであり、第２電力伝送モードでの保障電力は第１電力と第２電力の間の値であり得るが、これに限定されはせず、当業者の設計によりそれぞれの動作モードに対応する保障電力は異なって設定されてもよいことに注意しなければならない。
【０２６３】
交渉段階４４０での異物の存在の有無に対する判断結果異物が存在すると、制御器６１０は保障電力のレベルを第２電力伝送モードに相応する第２レベルから第１電力伝送モードに相応する第１レベルに変更させることができる。
【０２６４】
すなわち、制御器６１０は交渉段階４４０で異物が存在するものと判断されると、保障電力を下向き調節することができる。これを通じて、高電力伝送時に異物による過熱で機器が損傷するのを未然に防止することができる。
【０２６５】
制御器６１０は第１電力伝送モードに進入すると、前記図４の補正段階４５０が遂行されないように制御することができる。
【０２６６】
もし、充電領域に異物が存在するにも関わらず第１電力伝送モードで補正段階４５０が遂行される場合、前記電力損失に基づいた異物検出方法は正確度が落ちる問題点がある。
【０２６７】
一般的に補正段階４５０は異物が存在しないという仮定下で遂行される手続きである。したがって、充電領域に異物が存在するにも関わらず補正段階４５０が遂行されると、電力損失に基づいた異物検出方法はその正確度が落ちて信頼できない問題点がある。
【０２６８】
もし、第１電力伝送モードへの進入後、前記電力損失に基づいた異物検出方法および（または）前記温度変化に基づいた異物検出方法を通じて異物が検出されない場合、制御器６１０は前記図４の再交渉段階４７０に進入することができる。
【０２６９】
制御器６１０は無線電力受信機との再交渉結果により電力伝送契約が確定すると、確定した電力伝送契約により動作モードを変更してもよい。
【０２７０】
一例として、電力伝送契約は保障電力を含むことができ、制御器６１０は無線電力受信機との再交渉手続きを通じて保障電力を変更設定することができる。
【０２７１】
もし、再交渉結果無線電力受信機によって要求される保障電力が第１電力伝送モードに相応する第１保障電力から第２電力伝送モードに相応する第２保障電力に変更された場合、制御器６１０は動作モードを第１電力伝送モードで第２電力伝送モードに転換させてもよい。
【０２７２】
以上の実施例で説明した通り、本発明に係る無線電力送信機６００は実際には異物が存在しないにも関わらず、異物が存在するものと判別した場合にも持続的に充電を進行できる長所がある。
【０２７３】
詳細には、無線電力送信機６００は、初期の第２電力伝送モードで動作中に実際には異物が存在しないにも関わらず、異物が存在するものと判断された場合は、すぐに充電を中断せず、電力伝送モードを第２電力伝送モードから第１電力伝送モードに転換させて充電を維持させることができる。
【０２７４】
一例として、無線電力送信機６００は充電領域に異物なしに無線電力受信機が配置された状態である場合にも、送信コイルと受信コイルの間の整列状態により充電領域に異物が存在するものと判断してもよい。
【０２７５】
本発明に係る無線電力送信機６００は第１電力伝送モードへの転換後にも追加的な異物検出手続きを遂行することによって、より正確に異物を検出できる長所がある。ここで、追加的な異物検出手続きは電力損失に基づいた異物検出手続きおよび温度変化に基づいた異物検出手続きのうち少なくとも一つを含むことができる。
【０２７６】
図７は、本発明の一実施例に係る前記図６の伝送アンテナの構成を説明するための図面である。
【０２７７】
図７を参照すると、伝送アンテナ６４０はコイル選択回路７１０、コイルアセンブリ７２０および共振キャパシタ７３０を含んで構成され得る。
【０２７８】
コイルアセンブリ７２０は少なくとも一つの送信コイル−すなわち、第１〜第Ｎコイル−を含んで構成され得る。
【０２７９】
コイル選択回路７１０はコイルアセンブリ７２０に含まれた送信コイルのうちいずれか一つまたは少なくともいずれか一つにインバータ６３０出力電流Ｉ＿ｃｏｉｌが伝達されるように構成されたスイッチング回路を含んで構成され得る。
【０２８０】
一例として、コイル選択回路７１０はその一端がインバータ出力段に連結され、他端がそれに対応するコイルに連結された第１〜第Ｎスイッチを含んで構成され得る。
【０２８１】
コイルアセンブリ７２０に含まれた第１〜第Ｎコイルはその一端がコイル選択回路７１０の対応するスイッチに連結され、その他端が共振キャパシタ７３０と連結され得る。
【０２８２】
復調器６８０はコイルアセンブリ７２０と共振キャパシタ７３０の間の信号−ここで、信号は振幅変調した信号である−を復調して制御器６１０に伝達することができる。
【０２８３】
図８は、本発明の一実施例により前記図６による無線電力送信装置と連動する無線電力受信装置の構造を説明するためのブロック図である。
【０２８４】
図８を参照すると、無線電力受信機８００は受信アンテナ８１０、整流器８２０、直流／直流変換器（ＤＣ／ＤＣ  Ｃｏｎｖｅｒｔｅｒ、８３０）、スイッチ８４０、負荷８５０、センシング部８６０、変調部８７０、主制御部８７０を含んで構成され得る。
【０２８５】
前記図８の例に図示された無線電力受信機８００はインバンド通信を通じて無線電力送信機と情報を交換することができる。
【０２８６】
受信アンテナ８１０はインダクターと少なくとも一つのキャパシタを含んで構成され得る。
【０２８７】
無線電力送信機６００により伝送されたＡＣ電力は受信アンテナ８１０を通じて整流器８２０に伝達することができる。整流器８２０は受信アンテナ８１０を通じて伝達されたＡＣ電力をＤＣ電力に変換して直流／直流変換器８３０に伝送することができる。
【０２８８】
直流／直流変換器８３０は整流器８２０の出力ＤＣ電力の強度を負荷８５０により要求される特定の強度にＤＣ電力で変換することができる。
【０２８９】
センシング部８４０は整流器８２０の出力ＤＣ電力の強度を測定し、測定結果を主制御部８８０に提供することができる。
【０２９０】
主制御部８８０は整流器８２０の出力ＤＣ電力に基づいて電力制御を遂行することができる。
【０２９１】
また、センシング部８４０は無線電力受信により受信アンテナ８１０に印加される電流の強度を測定し、測定結果を主制御部８８０に伝送してもよい。
【０２９２】
また、センシング部８４０は無線電力受信機８００または無線電力受信機８００が装着された電子機器の内部温度を測定し、測定された温度値を主制御部８８０に提供してもよい。
【０２９３】
一例として、主制御部８８０は測定された整流器の出力ＤＣ電力の強度を所定基準値と比較して過電圧発生の有無を判断することができる。判断結果過電圧が発生した場合、主制御部８８０は過電圧が発生したことを知らせる所定パケットを変調部８７０を通じて無線電力送信機６００に伝送することができる。
【０２９４】
変調部８７０は主制御部８８０からパケットが受信されると、受信アンテナ８１０を通じて受信されたＡＣ電力および備えられたスイッチを利用して受信されたパケットに相応する振幅変調信号を生成することができる。この時、無線電力送信機６００は無線電力受信機８００により振幅変調した信号を備えられた復調器６８０を通じて復調することができる。
【０２９５】
一例として、変調部８７０はピング段階で主制御部８８０から信号強度パケットが受信されると、受信アンテナ１０１０を通じて受信されたデジタルピングを受信された信号強度パケットに相応するように振幅変調することができる。
【０２９６】
一実施例に係る変調部８７０は、受信アンテナ８１０を通じて受信された交流電力信号を振幅変調するための変調スイッチが備えられ得る。この場合、主制御部８８０は伝送対象パケットに対応するパルス幅変調信号を変調部８７０に伝送して変調スイッチを直接制御してもよい。
【０２９７】
また、主制御部８８０は整流器の出力ＤＣ電力の強度が所定基準値以上の場合、感知信号−例えば、デジタルピング−が受信されたものと判断することができ、感知信号受信時、該当センシング信号に対応する信号強度パケットが変調部８７０を通じて無線電力送信機に伝送され得るように制御することができる。
【０２９８】
一例として、主制御部８８０は内部温度が所定基準値を超過すると、スイッチ８４０を制御−例えば、スイッチＯＦＦ−して直流／直流変換器８３０の出力ＤＣ電力が負荷８５０に伝達されないように制御してもよい。この時、主制御部８８０は過熱コードが含まれた電力伝送中断パケットを変調部１０７０を通じて無線電力送信機６００に伝送することができる。
【０２９９】
他の一例として、主制御部８８０は無線電力受信機８００が装着された電子機器の内部電力を制御する電力管理素子−例えば、ＰＭＩＣ（Ｐｏｗｅｒ  Ｍａｎａｇｅｍｅｎｔ  ＩＣ）と連動され得る。
【０３００】
この場合、直流／直流変換器１０３０の出力ＤＣ電力はスイッチ８４０を通じて電力管理素子に伝達され得、電力管理素子はバッテリーの充電および電子機器の内部部品への電力供給を制御することができる。
【０３０１】
電力管理素子はバッテリーの充電状態情報を主制御部８８０に提供することができる。主制御部８８０はバッテリーの充電状態情報および内部温度情報に基づいて充電の進行の可否を判断することができる。
【０３０２】
本発明の一実施例に係る無線電力受信機８００は交渉段階４４０に進入すると、異物検出状態パケットを生成して無線電力送信機６００に伝送することができる。
【０３０３】
一例として、異物検出状態パケットは基準品質因子値を含むことができる。
【０３０４】
他の一例として、異物検出パケットは基準品質因子値および該当無線電力受信機に対応する共振周波数を含むことができる。
【０３０５】
さらに他の一例として、異物検出パケットは共振周波数および共振周波数に対応する品質因子値を含んでもよい。
【０３０６】
無線電力送信機６００は異物検出状態パケットに含まれた基準品質因子値に基づいて異物の存在の有無を判断するための所定臨界値を決定することができる。
【０３０７】
以上の図８の実施例に係る無線電力受信機８００は、無線電力送信機６００が伝送したパケットを復調するための復調部（図示されず）をさらに含んで構成されてもよい。
【０３０８】
これを通じて、無線電力送信機６００と無線電力受信機８００は両方向通信を遂行してもよい。一実施例で、両方向通信は無線電力送信機でのパケット伝送可能時間と無線電力受信機でのパケット伝送可能時間が区分された時分割通信であり得るが、これに限定されはしない。
【０３０９】
図９は、従来技術に係る無線電力送信機での異物検出の有無による電力伝送制御方法を説明するための図面である。
【０３１０】
無線電力送信機は無線電力受信機から交渉要求パケットを受信すると、承認パケット（Ｇｒａｎｔ  Ｐａｃｋｅｔ）を伝送して交渉段階４４０に進入することができる。
【０３１１】
図９を参照すると、交渉段階４４０で無線電力送信機は無線電力受信機から異物検出状態パケット（ＦＯＤ（Ｆｏｒｅｉｇｎ  Ｏｂｊｅｃｔ  Ｄｅｔｅｃｔｉｏｎ）Ｓｔａｔｕｓ  Ｐａｃｋｅｔ）を受信することができる（Ｓ９０１）。
【０３１２】
一例として、無線電力送信機は下記の図１０に図示された通り、メッセージフィールド１０３０に基準品質因子値（Ｒｅｆｅｒｅｎｃｅ  Ｑｕａｌｉｔｙ  Ｆａｃｔｏｒ  Ｖａｌｕｅ、１０３１）が含まれた異物検出状態パケットを受信することができる。
【０３１３】
無線電力送信機は異物の存在の有無を判断することができる（Ｓ９０２）。ここで、無線電力送信機は選択段階４１０での物体感知後、ピング段階４２０への進入前に測定された品質因子値と交渉段階４４０で受信された基準品質因子値に基づいて決定した品質因子臨界値を比較して異物の存在の有無を判断することができる。
【０３１４】
以下の実施例では、交渉段階４４への進入後に異物を検出する方法として品質因子値に基づいた異物検出方法を例にして説明するが、これは一つの実施例に過ぎず、交渉段階での異物検出方法は当業者に設計または標準の定義により異なる方法が適用されてもよいことに注意しなければならない。
【０３１５】
判断結果異物が存在しなければ無線電力送信機は該当無線電力受信機にＡＣＫ信号を伝送することができる（Ｓ９０３）。
【０３１６】
この後、無線電力送信機は無線電力受信機によって要求される保障電力に関する情報が含まれた保障電力パケットを受信することができる（Ｓ９０４）。
【０３１７】
無線電力送信機は無線電力受信機から交渉終了パケットを受信することができる（Ｓ９０５）。
【０３１８】
無線電力送信機は交渉終了パケットが受信されると、交渉段階４４０で補正段階４５０に進入することができる。
【０３１９】
無線電力送信機は補正段階４５０に進入して所定の補正手続きを遂行できる（Ｓ９０６）。
【０３２０】
無線電力送信機は補正手続きを通じて電力伝送契約が完了すると、電力伝送段階４６０に進入して充電を開始することができる（Ｓ９０７）。
【０３２１】
もし、前記した９０２段階の判断結果異物が存在すると、無線電力送信機は異物検出状態パケットに対する応答としてＮＡＣＫ信号を伝送することができる（Ｓ９０８）。
【０３２２】
無線電力受信機は異物検出状態パケットに対する応答としてＮＡＣＫ信号が受信されると、無線電力送信機から受信される電力信号が完全に除去されるまで、自身の出力段での電力が所定の基準値−例えば、５Ｗであり得るが、これに限定されはしない−を超過しないように制御することができる。
【０３２３】
無線電力送信機はＮＡＣＫ信号伝送後にあらかじめ定義された時間以内−例えば、５秒であり得る−に電力伝送を中断させることができる（Ｓ９０９）。
【０３２４】
電力伝送が中断されると、無線電力送信機は選択段階４１０に進入することができる（Ｓ９１０）。
【０３２５】
充電領域に異物が配置された状態で第２電力伝送モードに相応する電力を伝送することは機器の発熱危険性を高める可能性がある。
【０３２６】
したがって、従来の無線電力送信機は異物が存在するものと判断されると、電力伝送段階４６０への進入を遮断し、あらかじめ定義された時間以内に電力伝送を中断した後に選択段階４１０に進入した。
【０３２７】
しかし、無線電力送信機は、備えられたＬＣＲ  Ｍｅｔｅｒの測定誤差、無線電力送信機および無線電力受信機の機構設計およびそれぞれに装着されるコイルのデザインの差による品質因子の相互補正誤差（Ｑｕａｌｉｔｙ  Ｆａｃｔｏｒ  Ｃｒｏｓｓ  Ｃａｌｉｂｒａｔｉｏｎ  Ｅｒｒｏｒ）、送信コイルと受信コイル間の離隔距離−すなわち、Ｚ  ｄｉｓｔａｎｃｅ−および充電領域に配置される無線電力受信機の位置−すなわち、ＸＹ  ｄｉｓｐｌａｃｅｍｅｎｔ−などによって、実際には異物が存在しないが異物が存在するものと誤判断する可能性がある。
【０３２８】
もし、実際には異物がないにも関わらず、とにかく電力伝送を中断した後選択段階に回帰することは深刻な使用者の不便を招き得る。
【０３２９】
特に、スマートフォンなどに適用される無線電力受信機は、該当製品の厚さを減らすために透磁率が高い遮蔽剤を適用し、受信コイルの厚さができるだけ小さくなるように設計され得る。
【０３３０】
この場合、抵抗Ｒは非常に大きくなり、品質因子Ｑは非常に小さくなり得る。また、該当製品に金属材質のハウジングが適用される場合、品質因子Ｑはさらに低くなり得る。
【０３３１】
これは無線電力送信機での異物の存在の有無の判断に対するエラーの確率を増加させ得る。
【０３３２】
例えば、異物の存在の判断に対するエラーが発生する場合には、スマートフォンが充電領域に配置されたにも関わらず、品質因子Ｑが低く測定されて異物と判断する状況、異物だけでなくスマートフォンも共に充電領域に配置された状況などを含むことができる。
【０３３３】
したがって、前記した従来技術の問題点を解決するために、過熱による機器の損傷を防止しつつ、使用者の不便を最小化できる無線電力送信機での電力伝送制御方法が要求されている。
【０３３４】
図１０は、本発明の一実施例に係る、パケットフォーマットを説明するための図面である。
【０３３５】
本発明の実施例に係る無線電力送信段１０と無線電力受信段２０はインバンド通信を通じてパケットを交換することができるが、これは一つの実施例に過ぎず、帯域外通信を通じて該当パケットを交換してもよい。
【０３３６】
図１０を参照すると、無線電力送信段１０と無線電力受信段２０の間の情報交換に使われるパケットフォーマット１０００は、該当パケットの復調のための同期獲得および該当パケットの正確な開始ビットを識別するためのプリアンブル（Ｐｒｅａｍｂｌｅ、１０１０）フィールド、該当パケットに含まれたメッセージの種類を識別するためのヘッダー（Ｈｅａｄｅｒ、１０２０）フィールド、該当パケットの内容（またはペイロード（Ｐａｙｌｏａｄ））を伝送するためのメッセージ（Ｍｅｓｓａｇｅ、１０３０）フィールドおよび該当パケットにエラーが発生したかどうかを確認するためのチェックサム（Ｃｈｅｃｋｓｕｍ、１０４０）フィールドを含んで構成され得る。
【０３３７】
パケット受信段はヘッダー１０２０値に基づいて該当パケットに含まれたメッセージ１０３０の大きさを識別してもよい。
【０３３８】
また、前記図４の段階別伝送可能パケットの種類はヘッダー１０２０値によって定義され得、一部、ヘッダー１０２０の値は無線電力伝送手続きのそれぞれ異なる段階で共用され得るように定義され得る。一例として、ピング段階４２０および電力伝送段階４６０で無線電力送信機の電力伝送を中断させるための電力伝送終了（Ｅｎｄ  Ｐｏｗｅｒ  Ｔｒａｎｓｆｅｒ）パケットが同じヘッダー１０２０で定義され得る。
【０３３９】
メッセージ１０３０は該当パケットの送信段で伝送しようとするデータを含む。一例として、メッセージ１０３０フィールドに含まれるデータは相手方に対する報告事項（ｒｅｐｏｒｔ）、要請事項（ｒｅｑｕｅｓｔ）または応答事項（ｒｅｓｐｏｎｓｅ）であり得るが、これに限定されはしない。
【０３４０】
本発明の他の一実施例に係るパケットフォーマット１０００は該当パケットを伝送した送信段を識別するための送信段識別情報、該当パケットを受信する受信段を識別するための受信段識別情報のうち少なくとも一つをさらに含んでもよい。
【０３４１】
ここで、送信段識別情報および受信段識別情報はＩＰアドレス情報、ＭＡＣ（Ｍｅｄｉｕｍ  Ａｃｃｅｓｓ  Ｃｏｎｔｒｏｌ）住所情報、製品識別情報などを含むことができるが、これに限定されはせず、無線充電システム上で受信段および送信段を区分できる情報であればよい。
【０３４２】
本発明のさらに他の一実施例に係るパケットフォーマット１０００は該当パケットが複数の装置によって受信されなければならない場合、該当受信グループを識別するための所定グループ識別情報をさらに含んでもよい。
【０３４３】
図１１は、本発明の一実施例に係る無線電力送信機での電力伝送制御方法を説明するためのフローチャートである。
【０３４４】
無線電力送信機は無線電力受信機から交渉要求パケットを受信すると、承認パケット（Ｇｒａｎｔ  Ｐａｃｋｅｔ）を伝送して交渉段階４４０に進入することができる。
【０３４５】
図１１を参照すると、交渉段階４４０で無線電力送信機は無線電力受信機から異物検出状態パケット（ＦＯＤ（Ｆｏｒｅｉｇｎ  Ｏｂｊｅｃｔ  Ｄｅｔｅｃｔｉｏｎ）Ｓｔａｔｕｓ  Ｐａｃｋｅｔ）を受信することができる（Ｓ１１１０）。
【０３４６】
一例として、無線電力送信機は前記図１０に図示された通り、メッセージフィールド１０３０に基準品質因子値（Ｒｅｆｅｒｅｎｃｅ  Ｑｕａｌｉｔｙ  Ｆａｃｔｏｒ  Ｖａｌｕｅ、１０３１）が含まれた異物検出状態パケットを受信することができる。
【０３４７】
交渉段階４４０での異物検出は受信機から受信した基準値と測定値を比較する手続きであり、基準値と測定値は多様な種類のパラメータであり得る。
【０３４８】
例えば、基準値と測定値は共振周波数、抵抗、インダクタンスなどが含まれ得るがこれに限定されはしない。
【０３４９】
無線電力送信機７１０は既保存された測定ピーク周波数（ＰＦ＿ｍｅａｓｕｒｅｄ）と測定品質因子値（Ｑ＿ｍｅａｓｕｒｅｄ）を利用して測定等価直列抵抗（Ｍｅａｓｕｒｅｄ  ＥＳＲ（Ｅｑｕｉｖａｌｅｎｔ  Ｓｅｒｉｅｓ  Ｒｅｓｉｓｔａｎｃｅ）、ＥＳＲ＿ｍｅａｓｕｒｅｄ）を計算することができる（Ｓ７０７）。
【０３５０】
ここで、ＥＳＲはＲＬＣ直列回路でキャパシタなどに寄生する直列抵抗成分である。電気回路に使われる実際のキャパシタおよびインダクターはキャパシタンスまたはインダクタンスのみがある理想的な部品ではない。しかし、抵抗と直列で連結されると非常に近似的に理想的なキャパシタおよびインダクターと見なされ得る。この抵抗は等価直列抵抗（ＥＳＲ）と定義される。
【０３５１】
無線電力送信機７１０は受信された基準ピーク周波数（ＰＦ＿ｒｅｆｅｒｅｎｃｅ）と基準品質因子値（Ｑ＿ｒｅｆｅｒｅｎｃｅ）を利用して基準等価直列抵抗（Ｒｅｆｅｒｅｎｃｅ  ＥＳＲ、ＥＳＲｒｅｆｅｒｅｎｃｅ）を計算することができる（Ｓ７０８）。
【０３５２】
無線電力送信機７１０はＥＳＲ＿ｍｅａｓｕｒｅｄとＥＳＲｒｅｆｅｒｅｎｃｅを利用して異物を検出することができる（Ｓ７０９）。一例として、無線電力送信機７１０はＥＳＲｒｅｆｅｒｅｎｃｅとＥＳＲ＿ｍｅａｓｕｒｅｄの比率を所定臨界値と比較して異物の存在の有無を判断することができる。
【０３５３】
無線電力送信機は異物検出結果によりＡＣＫ応答またはＮＡＣＫ応答を無線電力受信機に伝送することができる。
【０３５４】
無線電力送信機からＮＡＣＫ応答が受信されると、無線電力受信機は無線電力送信機が電力伝送を完全に中断するまで出力端子を通じて電子機器（またはバッテリー／負荷）に一定の強度以上の電力が供給されないように制御することができる。ここで、一定の強度以上の電力は５Ｗが基準であり得るが、これに限定されはしない。
【０３５５】
以下ではＥＳＲと品質因子値Ｑおよび周波数の関係を説明することにする。
【０３５６】
理想的なＲＬＣ直列回路およびＴＲＦ受信機（Ｔｕｎｅｄ  Ｒａｄｉｏ  Ｆｒｅｑｕｅｎｃｙ  Ｒｅｃｅｉｖｅｒ）での品質因子値Ｑは下記の数式１：
【０３５７】
【数２】
2021523670.tif 000004
【０３５８】
ここで、Ｒ、ＬおよびＣはそれぞれ保存、インダクタンス、キャパシタンスを意味し、
【数３】
2021523670.tif 000005
であり、
【数４】
2021523670.tif 000006
は共振周波数を意味する。
【０３５９】
【数５】
2021523670.tif 000007
であるので、
【数６】
2021523670.tif 000008
となる。
【０３６０】
ＥＳＲは常に標準周波数で測定されたＡＣ抵抗であり、高いＥＳＲは部品の老化、発熱およびリップル電流を増加させ得る。
【０３６１】
【数７】
2021523670.tif 000009
で計算され得る。
【０３６２】
したがって、前記実施例でＥＳＲｒｅｆｅｒｅｎｃｅは
【数８】
2021523670.tif 000010
で計算され、ＥＳＲ＿ｍｅａｓｕｒｅｄは
【数９】
2021523670.tif 000011
で計算され得る。
【０３６３】
【数１０】
2021523670.tif 000012
：無線充電器が測定したＱ−ｆａｃｔｏｒ
【０３６４】
【数１１】
2021523670.tif 000013
：無線充電器が測定したＰｅａｋ  ｆｒｅｑｕｅｎｃｙ
【０３６５】
【数１２】
2021523670.tif 000014
：無線充電器タイプコイルでの基準Ｑ−ｆａｃｔｏｒ（受信機配置、異物がない状態）
【０３６６】
【数１３】
2021523670.tif 000015
：無線充電器タイプコイルでの基準Ｐｅａｋ  ｆｒｅｑｕｅｎｃｙ（受信機配置、異物がない状態）
【０３６７】
【数１４】
2021523670.tif 000016
：無線充電器の共振キャパシタのキャパシタンス
【０３６８】
この時、ＥＳＲｒｅｆｅｒｅｎｃとＥＳＲ＿ｍｅａｓｕｒｅｄの比率は下記のように計算され得る。
【０３６９】
【数１５】
2021523670.tif 000017
【０３７０】
【数１６】
2021523670.tif 000018
【０３７１】
一実施例に係る無線電力送信機はＥＳＲｒｅｆｅｒｅｎｃとＥＳＲ＿ｍｅａｓｕｒｅｄの比率があらかじめ定義された比率臨界値を超過すると、異物が存在するものと判断することができる。ここで、比率臨界値は実験結果によって決定され得る。一例として、
【数１７】
2021523670.tif 000019
が０．２より大きいと異物が存在するものと判断することができる。
【０３７２】
以下の説明では無線電力送信機が測定された品質因子値と決定された品質因子臨界値に基づいて異物の存在の有無を判断する実施例を中心に説明することにする。
【０３７３】
無線電力送信機は異物の存在の有無を判断することができる（Ｓ１１２０）。ここで、無線電力送信機は選択段階４１０での物体感知後、ピング段階４２０への進入前に測定された品質因子値と交渉段階４４０で受信された基準品質因子値に基づいて決定した品質因子臨界値を比較して異物の存在の有無を判断することができる。
【０３７４】
判断結果異物が存在しなければ、無線電力送信機は該当無線電力受信機に第１応答信号を伝送することができる（Ｓ１１３０）。ここで、第１応答信号はＡＣＫ信号であり得る。
【０３７５】
無線電力送信機は第１応答信号伝送後に第１電力伝送制御手続きを遂行できる（Ｓ１１４０）。
【０３７６】
前記１１２０段階の判断結果異物が存在すると、無線電力送信機は第２応答信号を伝送することができる（Ｓ１１５０）。ここで、第２応答信号はＮＡＣＫ信号であり得る。
【０３７７】
無線電力送信機は第２応答信号伝送後に第２電力伝送制御手続きを遂行できる（Ｓ１１６０）。
【０３７８】
ここで、第１電力伝送制御手続きと第２電力伝送制御手続きの細部構成は後述する図面の説明を通じてより明確になるであろう。
【０３７９】
図１２は、本発明の他の実施例に係る無線電力送信機での電力伝送制御方法を説明するためのフローチャートである。
【０３８０】
無線電力送信機は無線電力受信機から交渉要求パケットを受信すると、承認パケット（Ｇｒａｎｔ  Ｐａｃｋｅｔ）を伝送して交渉段階４４０に進入することができる。
【０３８１】
図１２を参照すると、交渉段階４４０で無線電力送信機は無線電力受信機から異物検出状態パケット（ＦＯＤ（Ｆｏｒｅｉｇｎ  Ｏｂｊｅｃｔ  Ｄｅｔｅｃｔｉｏｎ）Ｓｔａｔｕｓ  Ｐａｃｋｅｔ）を受信することができる（Ｓ１２０１）。一例として、無線電力送信機は下記の図１０に図示された通り、メッセージフィールド１０３０に基準品質因子値（Ｒｅｆｅｒｅｎｃｅ  Ｑｕａｌｉｔｙ  Ｆａｃｔｏｒ  Ｖａｌｕｅ、１０３１）が含まれた異物検出状態パケットを受信することができる。
【０３８２】
無線電力送信機は異物の存在の有無を判断することができる（Ｓ１２０２）。ここで、無線電力送信機は選択段階４１０での物体感知後、ピング段階４２０への進入前に測定された品質因子値と交渉段階４４０で受信された基準品質因子値に基づいて決定した品質因子臨界値を比較して異物の存在の有無を判断することができる。
【０３８３】
判断結果異物が存在しなければ、無線電力送信機は該当無線電力受信機に第１応答信号を伝送することができる（Ｓ１２０３）。ここで、第１応答信号はＡＣＫ信号であり得る。
【０３８４】
無線電力送信機は第１応答信号が受信されると、第１電力伝送制御手続き（Ｓ１１４０）を遂行することができる。
【０３８５】
以下では第１電力伝送制御手続き（Ｓ１１４０）を詳細に説明することにする。
【０３８６】
無線電力送信機は異物がないものと判断する場合、保障電力を最大電力（Ｍａｘｉｍｕｍ  ｏｒ  ｐｏｔｅｎｔｉａｌ  ｐｏｗｅｒ）まで設定することができる。一例として、最大電力は１５Ｗであり得るが、これに限定されはせず、無線充電器の構成態様および設計によりそれより大くてもよい。
【０３８７】
交渉段階で無線電力送信機は設定された保障電力を含む送信機電力能力パケットを無線電力受信機に伝送することができる。これによって、無線電力受信機は送信機の保障電力内で要求電力を決定することができる。
【０３８８】
無線電力送信機は無線電力受信機によって要求される保障電力（または要求電力）に関する情報が含まれた保障電力パケットを受信することができる（Ｓ１２０４）。
【０３８９】
無線電力送信機は無線電力受信機から交渉終了パケットを受信することができる（Ｓ１２０５）。
【０３９０】
無線電力送信機は交渉終了パケットが受信されると、交渉段階４４０で補正段階４５０に進入することができる。
【０３９１】
無線電力送信機は補正段階４５０に進入して補正手続きを遂行できる（Ｓ１２０６）。
【０３９２】
無線電力送信機は補正手続きが完了すると、電力伝送段階４６０に進入して充電を開始することができる（Ｓ１２０７）。
【０３９３】
もし、前記Ｓ１２０２段階の判断結果異物が存在すると、無線電力送信機は異物検出状態パケットに対する応答として、第２応答信号を伝送することができる（Ｓ１２０８）。ここで、第２応答信号はＮＡＣＫ信号であり得る。
【０３９４】
無線電力受信機は異物検出状態パケットに対する応答として第２応答信号が受信されると、第２電力伝送制御手続き（Ｓ１１６０）を遂行することができる。
【０３９５】
以下では第２電力伝送制御手続き（Ｓ１１６０）を詳細に説明することにする。
【０３９６】
無線電力送信機は異物が存在するものと判断される場合、保障電力を第１電力−すなわち、最小保障電力（例えば５Ｗ）−に制限して電力を伝送することができる（Ｓ１２０９）。無線電力送信機は異物が存在するものと判断して保障電力を５Ｗに設定した状態では、あらかじめ設定された電力損失に対する境界値（または基準値）を基準として異物の存在の有無を判断することができる。ここで、５Ｗは送受信機間にあらかじめ定められた最小電力であるため、無線電力送信機はソリッドな基準値を設定して異物を判断することができる。電力損失に基づいた異物検出方式と他の方式の異物検出方法が適用されてもよい。
【０３９７】
ここで、第１電力は第１電力伝送モードに相応する保障電力であり得る。一例として、第１電力は５Ｗに設定され得るが、これに限定されはせず、５Ｗより小さい特定の電力に設定されてもよい。この時、無線電力送信機は無線電力信号の伝送を中断しないことに注意しなければならない。
【０３９８】
無線電力送信機は保障電力パケットを受信することができる（Ｓ１２１０）。ここで、保障電力パケットは無線電力受信機が無線電力送信機の使用可能な保障電力内で決定した要求電力に関する情報を含むことができる。
【０３９９】
無線電力送信機は無線電力受信機から交渉終了パケットが受信されると、交渉段階４４０を終了し、電力伝送段階（Ｓ４６０）に進入して既設定された第１電力で充電を遂行できる（Ｓ１２１２）。
【０４００】
前記図１２の実施例では無線電力送信機が第２電力伝送制御手続き（Ｓ１１６０）の遂行中に保障電力パケットおよび交渉終了パケットを受信するものとして説明されているが、これは一つの実施例に過ぎず、他の実施例は無線電力送信機に保障電力パケットおよび交渉終了パケットのうち少なくとも一つが受信されなくてもよい。
【０４０１】
本発明の実施例に係る無線電力送信機は第２電力伝送制御手続き（Ｓ１１６０）の遂行中に補正段階４５０を遂行しなくてもよい。
【０４０２】
ここで、補正段階４５０は送信機と受信機の間の伝送電力と受信電力そして電力損失に対する値を正確に測定するように、送信機の伝送電力と受信機の受信電力を比較する過程を意味し得る。
【０４０３】
この時、保障電力が５Ｗ以上である第２電力伝送モードでは伝送電力が大きくなるほど電力損失が変わり得るため、これをあらかじめ予測（計算）し、伝送電力が変わる時にあらかじめ予測した値を反映することによって電力損失をより正確に計算することができる。しかし、保障電力を最小電力である５Ｗに設定する第１電力伝送モードでは固定された電力をターゲットに設定して動作するため、別途の補正段階４５０が遂行される必要がない。
【０４０４】
また、異物が存在する状態で送信電力または受信電力、損失電力のうち少なくとも一つを補正する場合、異物による影響が含まれて補正が行われるため、実際には異物が存在するにも関わらず無線電力送信機が異物が存在しないものと判断する確率を高める可能性がある。すなわち、異物判断に対する正確度が低くなり得る。
【０４０５】
本発明は第２電力伝送制御手続き（Ｓ１１６０）の遂行中に補正段階４５０が遂行されないように制御することによって、異物検出正確度を向上させることができる。
【０４０６】
図１３は、本発明のさらに他の一実施例に係る無線電力送信機での電力伝送制御方法を説明するための図面である。
【０４０７】
図１３を参照すると、無線電力送信機は第２電力伝送制御手続き（Ｓ１１６０）が完了して電力伝送段階４６０に進入することができる（Ｓ１３１０）。
【０４０８】
無線電力送信機は、電力伝送段階４６０での電力伝送−すなわち、充電−中に受信される受信電力パケット（Ｒｅｃｅｉｖｅｄ  Ｐｏｗｅｒ  Ｐａｃｋｅｔ）に基づいて電力損失を測定（または算出または推定）することができる（Ｓ１３２０）。
【０４０９】
以下、説明の便宜のために無線電力送信機が電力損失を測定するものとして説明するが、これは一つの実施例に過ぎず、無線電力送信段での伝送電力測定結果と無線電力受信段から受信された受信電力測定結果に基づいて電力損失を算出または推定できることに注意しなければならない。
【０４１０】
一例として、電力伝送段階４６０で充電中に所定時間の間無線電力受信機からフィードバックされる受信電力パケット（Ｒｅｃｅｉｖｅｄ  Ｐｏｗｅｒ  Ｐａｃｋｅｔ）に基づいて電力損失を測定（または推定）することができる。
【０４１１】
ここで、電力損失は、無線電力受信機がバッテリー（または負荷）と連結されていない状態で測定された第１受信電力値に基づいて測定された第１電力損失と無線電力受信機がバッテリー（または負荷）と連結された状態で測定された第２受信電力値に基づいて測定された第２電力損失のうち少なくとも一つを含むことができる。
【０４１２】
一例として、無線電力送信機は、所定時間−例えば、１０分であり得る−の間受信電力パケットが受信されるたびに電力損失を測定し、測定された電力損失の平均値（または最も小さい値または最も大きい値）を最終電力損失として確定することができる。
【０４１３】
他の一例として、無線電力送信機は電力伝送段階４６０への進入後に連続的に受信されるＮ個の受信電力パケットに対応して電力損失を測定してもよい。
【０４１４】
無線電力送信機は測定された電力損失に基づいて異物の存在の有無を判断することができる（Ｓ１３３０）。
【０４１５】
一例として、無線電力送信機は測定された電力損失が所定電力損失臨界値を超過すると、異物が存在するものと判断することができる。反面、測定された電力損失が所定電力損失臨界値以下であれば、異物が存在しないものと判断することができる。
【０４１６】
他の一例として、無線電力送信機は電力伝送段階への進入後に連続的に受信されるＮ個の受信電力パケットに対応して推定された電力損失がすべて所定電力損失臨界値以内であれば、異物が存在しないものと判断することができる。特定時間の間臨界値以内である場合、または特定時間超過後に電力損失が臨界値以内である場合にも異物がないものと判断することができる。
【０４１７】
反面、電力伝送段階への進入後に連続的に受信されるＮ個の受信電力パケットのうち少なくとも一つの受信電力パケットに対応して推定された電力損失が所定電力損失臨界値を超過すると、無線電力送信機は異物が存在するものと判断することができる。
【０４１８】
判断結果異物が存在すると、無線電力送信機は電力伝送を中断して選択段階に進入することができる（Ｓ１３４０およびＳ１３５０）。
【０４１９】
前記１３３０段階の判断結果異物が存在しなければ、無線電力送信機は再交渉段階に進入して無線電力受信機と電力伝送契約を再交渉することができる（Ｓ１３６０）。この時、交渉される保障電力は５Ｗ以上になり得る。
【０４２０】
無線電力送信機は再交渉結果により電力伝送段階４６０に再び進入して該当無線電力受信機に対する充電を引き続き遂行することができる。ここで、再交渉後に無線電力送信機は、第１電力と第２電力の間の電力を伝送して充電を遂行することができる。ここで、第１電力は５Ｗであり、第２電力は１５Ｗであり得るが、これは一つの実施例に過ぎず、第２電力の強度はそれより大ききいか小さくてもよい。
【０４２１】
一例として、無線電力送信機は電力伝送段階への進入後に異物が検出されない場合、再交渉を通じて第１電力伝送モードから第２電力伝送モードに転換することによって伝送電力の強度を上昇させて充電時間を短縮させることができる。
【０４２２】
図１４は、本発明のさらに他の一実施例に係る無線電力送信機での電力伝送制御方法を説明するための図面である。
【０４２３】
図１４を参照すると、無線電力送信機は第２電力伝送制御手続き（Ｓ１１６０）が完了して電力伝送段階４６０に進入することができる（Ｓ１４１０）。
【０４２４】
無線電力送信機は電力伝送段階４６０での電力伝送中に温度変化を測定することができる（Ｓ１４２０）。
【０４２５】
一例として、電力伝送段階４６０で電力伝送中に無線電力送信機は単位時間の間の内部温度変化量または温度変化比率を測定することができる。ここで、無線電力送信機上で温度変化が測定される位置は伝送アンテナ６４０の送信コイルであり得るが、これに限定されはせず、当業者の設計により無線電力送信機の他の位置−例えば、無線電力送信機に備えられた制御回路基板、充電ベッド−で測定されてもよい。
【０４２６】
他の実施例に係る無線電力送信機は電力伝送中に所定周期で無線電力受信機によって測定された温度情報を受信してもよい。無線電力送信機は無線電力受信機から受信された温度情報に基づいて温度変化を測定してもよい。
【０４２７】
本発明のさらに他の実施例に係る無線電力送信機は、内部測定された第１温度変化および無線電力受信機から受信された温度情報に基づいて測定された第２温度変化に基づいて最終温度変化を確定してもよい。
【０４２８】
無線電力送信機は測定された温度変化に基づいて異物の存在の有無を判断することができる（Ｓ１４３０）。一例として、無線電力送信機は測定された温度変化が所定温度変化臨界値を超過すると、異物が存在するものと判断することができる。
【０４２９】
反面、測定された温度変化が所定温度変化臨界値以下であれば、無線電力送信機は異物が存在しないものと判断することができる。
【０４３０】
判断結果異物が存在すると、無線電力送信機は電力伝送を中断して選択段階に進入することができる（Ｓ１４４０およびＳ１４５０）。
【０４３１】
前記１４３０段階の判断結果異物が存在しなければ、無線電力送信機は再交渉段階に進入して無線電力受信機と電力伝送契約を再交渉することができる（Ｓ１４６０）。
【０４３２】
無線電力送信機は再交渉結果により電力伝送段階４６０に再び進入して充電を引き続き進行することができる。
【０４３３】
一例として、無線電力送信機は電力伝送段階への進入後に異物が検出されない場合、再交渉を通じて第１電力伝送モードから第２電力伝送モードに転換することによって伝送電力の強度を上昇させて充電時間を短縮させることができる。無線電力送信機は第２電力伝送モードで第１電力と第２電力の間の電力を伝送することができる。ここで、第１電力は５Ｗであり、第２電力は１５Ｗであり得るが、これは一つの実施例に過ぎず、第２電力は当業者の設計および無線電力送信機の構成態様により１５Ｗより小さいか大きくてもよい。
【０４３４】
図１５は、本発明のさらに他の一実施例に係る無線電力送信機での電力伝送制御方法を説明するための図面である。
【０４３５】
図１５を参照すると、無線電力送信機は第２電力伝送制御手続き（Ｓ１１６０）が完了して電力伝送段階４６０に進入することができる（Ｓ１５１０）。
【０４３６】
無線電力送信機は電力伝送段階４６０での電力伝送中に受信される受信電力パケット（Ｒｅｃｅｉｖｅｄ  Ｐｏｗｅｒ  Ｐａｃｋｅｔ）の電力損失を測定することができる（Ｓ１５２０）。
【０４３７】
一例として、電力伝送段階４６０で電力伝送中に無線電力受信機からフィードバックされる受信電力パケット（Ｒｅｃｅｉｖｅｄ  Ｐｏｗｅｒ  Ｐａｃｋｅｔ）に基づいて電力損失を測定することができる。
【０４３８】
ここで、電力損失は、無線電力受信機がバッテリー（または負荷）と連結されていない状態で測定された第１受信電力値に基づいて測定された第１電力損失と無線電力受信機がバッテリー（または負荷）と連結された状態で測定された第２受信電力値に基づいて測定された第２電力損失のうち少なくとも一つを含むことができる。
【０４３９】
無線電力送信機は測定された電力損失に基づいて異物の存在の有無を判断することができる（Ｓ１５３０）。一例として、無線電力送信機は測定された電力損失が所定電力損失臨界値を超過すると、異物が存在するものと判断することができる。反面、測定された電力損失が所定電力損失臨界値以下であれば、異物が存在しないものと判断することができる。
【０４４０】
判断結果異物が存在すると、無線電力送信機は電力伝送を中断して選択段階に進入することができる（Ｓ１５４０およびＳ１５５０）。
【０４４１】
前記１５３０段階の判断結果異物が存在しなければ、無線電力送信機は電力伝送段階４６０での電力伝送中に温度変化を測定することができる（Ｓ１５６０）。
【０４４２】
一例として、電力伝送段階４６０で電力伝送中に無線電力送信機は単位時間の間の内部温度変化量または温度変化比率を測定することができる。ここで、無線電力送信機上で温度変化が測定される位置は送信コイル周辺であり得るが、これに限定されはせず、当業者の設計により無線電力送信機の他の位置で測定されてもよい。
【０４４３】
他の実施例に係る無線電力送信機は電力伝送中に所定周期で無線電力受信機によって測定された温度情報を受信してもよい。無線電力送信機は無線電力受信機から受信された温度情報に基づいて温度変化を測定してもよい。
【０４４４】
本発明のさらに他の実施例に係る無線電力送信機は内部測定された第１温度変化および無線電力受信機から受信された温度情報に基づいて測定された第２温度変化に基づいて最終温度変化を確定してもよい。
【０４４５】
無線電力送信機は測定された温度変化に基づいて異物の存在の有無を判断することができる（Ｓ１５７０）。一例として、無線電力送信機は測定された温度変化が所定温度変化臨界値を超過すると、異物が存在するものと判断することができる。
【０４４６】
反面、測定された温度変化が所定温度変化臨界値以下であれば、無線電力送信機は異物が存在するしないものと判断することができる。
【０４４７】
判断結果異物が存在すると、無線電力送信機は電力伝送を中断して選択段階に進入することができる（Ｓ１５４０およびＳ１５５０）。
【０４４８】
前記１５７０段階の判断結果異物が存在しなければ、無線電力送信機は再交渉段階に進入して無線電力受信機と電力伝送契約を再交渉することができる（Ｓ１５８０）。無線電力送信機は再交渉結果により電力伝送段階４６０に再び進入して充電を引き続き進行することができる。
【０４４９】
一例として、無線電力送信機は電力伝送段階への進入後に異物が検出されない場合、再交渉を通じて第１電力伝送モードから第２電力伝送モードに転換することによって伝送電力の強度を上昇させて充電時間を短縮させることができる。
【０４５０】
前記図１５の実施例では無線電力送信機が電力損失に基づいて異物検出手続きを遂行した後、判断結果により温度変化に基づいた異物検出手続きを遂行するものとして図示されているが、これは一つの実施例に過ぎず、他の実施例に係る無線電力送信機は温度変化に基づいて異物検出手続きを遂行した後、判断結果により電力損失に基づいた異物検出手続きを遂行するように具現されてもよい。
【０４５１】
図１６ａは、送信機と受信機のバージョンが同じである時の異物検出による無線電力伝送制御方法を説明するためのフローチャートである。
【０４５２】
以下の実施例での説明において、第２バージョンは第１バージョンより上位バージョンであって、より最近にリリースされたバージョンであることに注意しなければならない。
【０４５３】
詳細には、図１６ａは送信機と受信機のバージョンがいずれも下位バージョンである第１バージョン−例えば、１．２Ｖ−であり同じである時、異物検出による無線電力伝送制御方法を説明するためのフローチャートである。ここで、バージョンはＷＰＣ  Ｑｉ標準に対するバージョンであり得る。
【０４５４】
図１６ａを参照すると、交渉段階に進入すると、第１バージョン送信機１６１０は第１バージョン受信機１６２０からＦＯＤ状態パケットを受信することができる（Ｓ１６０１）。
【０４５５】
第１バージョン送信機１６１０は受信されたＦＯＤ状態パケットに基づいて異物の存在の有無を判断し、判断結果異物があればＮＡＣＫ信号を第１バージョン受信機１６２０に伝送することができる（Ｓ１６０２）。
【０４５６】
第１バージョン受信機１６２０はＦＯＤ状態パケットに対するＮＡＣＫ応答信号を受信すると、いずれのパケットも伝送しないか特定のパケットを伝送することができる（Ｓ１６０３）。
【０４５７】
第１バージョン送信機１６１０は、第１バージョン受信機１６２０にＮＡＣＫ信号を伝送すると、一定時間−例えば、５秒−以内に電力伝送を中断することができる（Ｓ１６０４）。この時、第１バージョン送信機１６１０は第１バージョン受信機１６２０から受信されるいかなるパケットも無視することができる。
【０４５８】
図１６ｂは、送信機と受信機のバージョンが異なる時の異物検出による無線電力伝送制御方法を説明するためのフローチャートである。
【０４５９】
詳細には、図１６ｂは受信機が送信機より上位バージョンである時の異物検出による無線電力伝送制御方法を説明するためのフローチャートである。
【０４６０】
図１６ｂを参照すると、交渉段階に進入すると、第１バージョン送信機１６３０は第２バージョン受信機１６４０からＦＯＤ状態パケットを受信することができる（Ｓ１６０５）。
【０４６１】
第１バージョン送信機１６３０は受信されたＦＯＤ状態パケットに基づいて異物の存在の有無を判断し、判断結果異物があれば、ＮＡＣＫ信号を第２バージョン受信機１６４０に伝送することができる（Ｓ１６０６）。
【０４６２】
第１バージョン受信機１６３０はＦＯＤ状態パケットに対するＮＡＣＫ応答信号を受信すると、電力送信機能力（ＰＴＣ：Ｐｏｗｅｒ  Ｔｒａｎｓｍｉｔｔｅｒ  Ｃａｐａｂｉｌｉｔｙ）情報が含まれた一般要求パケット（ＧＲＰ：Ｇｅｎｅｒａｌ  Ｒｅｑｕｅｓｔ  Ｐａｃｋｅｔ）を第１バージョン送信機１６３０に伝送することができる（Ｓ１６０７）。
【０４６３】
第１バージョン送信機１６３０は、自身より上位バージョンの第２バージョン受信機１６４０にＮＡＣＫ信号を伝送すると、受信された一般要求パケットを無視し、一定時間−例えば、５秒−以内に電力伝送を中断することができる（Ｓ１６０８）。
【０４６４】
図１６ｃは、送信機と受信機のバージョンが同じである時の異物検出による無線電力伝送制御方法を説明するためのフローチャートである。
【０４６５】
詳細には、図１６ｃは受信機と送信機のバージョンがすべて上位バージョンである第２バージョン−例えば、１．３Ｖ−である時の異物検出による無線電力伝送制御方法を説明するためのフローチャートである。
【０４６６】
図１６ｃを参照すると、交渉段階に進入すると、第２バージョン送信機１６５０は第２バージョン受信機１６６０からＦＯＤ状態パケットを受信することができる（Ｓ１６０９）。
【０４６７】
第２バージョン送信機１６５０は受信されたＦＯＤ状態パケットに基づいて異物の存在の有無を判断し、判断結果異物があれば、ＮＡＣＫ信号を第２バージョン受信機１６６０に伝送することができる（Ｓ１６１０）。
【０４６８】
第２バージョン受信機１６６０はＦＯＤ状態パケットに対するＮＡＣＫ応答信号を受信すると、電力送信機能力（ＰＴＣ：Ｐｏｗｅｒ  Ｔｒａｎｓｍｉｔｔｅｒ  Ｃａｐａｂｉｌｉｔｙ）情報が含まれた一般要求パケット（ＧＲＰ：Ｇｅｎｅｒａｌ  Ｒｅｑｕｅｓｔ  Ｐａｃｋｅｔ）を第２バージョン送信機１６５０に伝送することができる（Ｓ１６１１）。
【０４６９】
第２バージョン送信機１６５０は自身と同じバージョンの第２バージョン受信機１６６０から一般要求パケットが受信されると、保障電力が第１電力に設定された電力送信機能力パケットを第２バージョン受信機１６６０に伝送することができる（Ｓ１６１２）。
【０４７０】
この時、第２バージョン受信機１６６０は保障電力が第１電力に設定された特別要求パケットを第２バージョン送信機１６５０に伝送することができる（Ｓ１６１３）。
【０４７１】
第２バージョン送信機１６５０は特別要求パケットに対する応答としてＡＣＫ信号を伝送し（Ｓ１６１４）、電力伝送段階に進入して保障電力を第１電力に設定して充電を遂行できる（Ｓ１６１５）。
【０４７２】
前記図１６ｃの実施例に係る本発明に係る無線電力送信機は、交渉段階で異物が検出されても保障電力を下向き調整して安全に充電状態を維持できる長所がある。
【０４７３】
前記図１６ｃの実施例において、もし、前記１６１３段階で第２バージョン送信機１６５０は保障電力が第１電力より大きい電力に設定された特別要求パケットが受信される場合、特別要求パケットに対する応答としてＮＡＣＫ応答を第２バージョン受信機１６６０に伝送することができる。
【０４７４】
図１６ｄは、受信機より送信機が上位バージョンである時の異物検出による無線電力伝送制御方法を説明するためのフローチャートである。
【０４７５】
詳細には、図１６ｄは受信機のバージョンが送信機のバージョンより下位バージョンである第１バージョン−例えば、１．２Ｖ−であるときの下位互換性（Ｂａｃｋｗａｒｄ  Ｃｏｍｐａｔｉｂｉｌｉｔｙ）が維持されるように異物検出時に無線電力伝送を制御する方法を説明するためのフローチャートである。
【０４７６】
図１６ｄを参照すると、交渉段階に進入すると、第２バージョン送信機１６７０は第１バージョン受信機１６８０からＦＯＤ状態パケットを受信することができる（Ｓ１６１６）。
【０４７７】
第２バージョン送信機１６７０は受信されたＦＯＤ状態パケットに基づいて異物の存在の有無を判断し、判断結果異物があれば、ＮＡＣＫ信号を第１バージョン受信機１６８０に伝送することができる（Ｓ１６１７）。
【０４７８】
一例として、第１バージョン受信機１６８０はＦＯＤ状態パケットに対するＮＡＣＫ応答信号を受信すると、電力送信機能力（ＰＴＣ：Ｐｏｗｅｒ  Ｔｒａｎｓｍｉｔｔｅｒ  Ｃａｐａｂｉｌｉｔｙ）情報が含まれた一般要求パケット（ＧＲＰ：Ｇｅｎｅｒａｌ  Ｒｅｑｕｅｓｔ  Ｐａｃｋｅｔ）を第２バージョン送信機１６７０に伝送することができる（Ｓ１６１８）。他の一例として、受信機のタイプにより第１バージョン受信機１６８０はＦＯＤ状態パケットに対するＮＡＣＫ応答信号を受信すると、いずれのパケットも第２バージョン送信機１６７０に伝送しなくてもよい。
【０４７９】
第２バージョン送信機１６７０は自身より下位バージョンの第１バージョン受信機１６８０からＮＡＣＫ信号を伝送した場合、保障電力が第１電力に設定された電力送信機能力パケットを第１バージョン受信機１６８０に伝送することができる（Ｓ１６１９）。
【０４８０】
一例として、第１バージョン受信機１６８０は保障電力が第１電力に設定された特別要求パケットを第２バージョン送信機１６７０に伝送することができる（Ｓ１６２０）。他の一例として、受信機のタイプにより第１バージョン受信機１６８０はＦＯＤ状態パケットに対するＮＡＣＫ応答信号を受信すると、いずれのパケットも第２バージョン送信機１６７０に伝送しなくてもよい。
【０４８１】
第２バージョン送信機１６５０は特別要求パケットに対する応答としてＮＡＣＫ信号を伝送し（Ｓ１６２１）、一定時間−例えば、５秒であり得るが、これに限定されはしない−以内に電力伝送を中断することができる。第２バージョン送信機１６５０は特別要求パケットに対する応答としてＮＡＣＫ信号を伝送することによって、第１バージョン受信機１６８０が交渉段階終了後に補正段階に進入することを遮断することができる。
【０４８２】
前述した実施例に係る方法はコンピュータで実行されるためのプログラムで製作されてコンピュータ読み取り可能記録媒体に保存され得、コンピュータ読み取り可能記録媒体の例としては、ＲＯＭ、ＲＡＭ、ＣＤ−ＲＯＭ、磁気テープ、フロッピーディスク、光データ保存装置などを含む。
【０４８３】
コンピュータ読み取り可能記録媒体はネットワークに連結されたコンピュータシステムに分散されて、分散方式でコンピュータ読み取り可能コードが保存され実行され得る。そして、前述した方法を具現するための機能的な（ｆｕｎｃｔｉｏｎ）プログラム、コードおよびコードセグメントは実施例が属する技術分野のプログラマーによって容易に推論され得る。
【０４８４】
本発明は本発明の精神および必須の特徴を逸脱しない範囲で他の特定の形態で具体化され得ることは当業者に自明である。
【０４８５】
したがって、前記の詳細な説明はすべての面で制限的に解釈されてはならず、例示的なものとして考慮されるべきである。本発明の範囲は添付された請求項の合理的な解釈によって決定されるべきであり、本発明の等価的な範囲内でのすべての変更は本発明の範囲に含まれる。
【産業上の利用可能性】
【０４８６】
本発明は、無線電力受信装置に無線電力を伝送する無線電力送信装置に適用され得る。
【図１】
2021523670.tif 000020
【図２】
2021523670.tif 000021
【図３】
2021523670.tif 000022
【図４】
2021523670.tif 000023
【図５】
2021523670.tif 000024
【図６】
2021523670.tif 000025
【図７】
2021523670.tif 000026
【図８】
2021523670.tif 000027
【図９】
2021523670.tif 000028
【図１０】
2021523670.tif 000029
【図１１】
2021523670.tif 000030
【図１２】
2021523670.tif 000031
【図１３】
2021523670.tif 000032
【図１４】
2021523670.tif 000033
【図１５】
2021523670.tif 000034
【図１６ａ】
2021523670.tif 000035
【図１６ｂ】
2021523670.tif 000036
【図１６ｃ】
2021523670.tif 000037
【図１６ｄ】
2021523670.tif 000038
【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
異物検出状態パケットを受信する第１パケット受信段階；
第１電力を伝送するための第１電力伝送モード又は第２電力を伝送するための第２電力伝送モードに進入する前に、前記異物検出状態パケットに基づいて異物の存在の有無を判断する第１判断段階；
前記第１判断段階の判断結果に基づいて電力を制御する電力制御段階；および
前記第１電力伝送モードにおいて異物の存在の有無を判断する第２判断段階、
を含み、
前記電力制御段階は
前記第１判断段階の判断結果異物があるものと判断されると前記第１電力を送信する前記第１電力伝送モードに制御する段階；および
前記第１判断段階の判断結果異物がないものと判断されると前記第２電力を送信する前記第２電力伝送モードに制御する段階を含む、
無線電力送信機の無線電力伝送制御方法。
【請求項２】
前記第２電力は前記第１電力より大きく、
前記第２電力伝送モードで電力伝送環境の変化に基づいて前記第１電力から前記第２電力の間で電力を増加または減少させて伝送する、請求項１に記載の無線電力送信機の無線電力伝送制御方法。
【請求項３】
前記第１電力は５Ｗである、請求項２に記載の無線電力送信機の無線電力伝送制御方法。
【請求項４】
前記第２電力は１５Ｗである、請求項３に記載の無線電力送信機での無線電力伝送制御方法。
【請求項５】
前記第２判断段階は、
伝送電力損失に基づいて異物の存在の有無を判断する、請求項１に記載の無線電力送信機の無線電力伝送制御方法。
【請求項６】
前記第２判断段階は
伝送電力の強度を測定する段階；
前記伝送電力に対応する受信電力の強度に関する情報を無線電力受信機から受信する段階；
前記伝送電力の強度と前記受信電力の強度の差値に基づいて電力損失を推定する段階；および
前記推定された電力損失と所定の電力損失基準値を比較して異物の存在の有無を判断する段階を含む、請求項５に記載の無線電力送信機の無線電力伝送制御方法。
【請求項７】
前記第２判断段階の判断結果として異物があるものと判断されると電力伝送を中断し、
前記第２判断段階の判断結果として異物がないものと判断されると前記第１電力伝送モードから前記第２電力伝送モードに転換される、
請求項１に記載の無線電力送信機の無線電力伝送制御方法。
【請求項８】
異物検出状態パケットを受信する第１パケット受信段階；
第１電力又は前記第１電力と第２電力の間の電力が伝送される前に、前記異物検出状態パケットに基づいて異物の存在の有無を判断する第１判断段階；
前記第１判断段階の判断結果異物があるものと判断されると前記第１電力を送信する段階；
前記第１判断段階の判断結果異物がないものと判断されると前記第１電力から前記第２電力の間の電力を送信する段階；および
前記第１電力を送信する段階で伝送電力損失に基づいて異物の存在の有無を判断する第２判断段階を含む、無線電力送信機の無線電力伝送制御方法。
【請求項９】
無線電力を伝送するアンテナ；
前記アンテナから受信された異物検出状態パケットを含む信号を復調する復調器；および
制御器を含み、
前記制御器は、
異物の存在の有無を判断し、
第１電力又は前記第１電力及び第２電力の間の電力を伝送する電力伝送段階に進入する前に、前記異物検出状態パケットに基づいて異物の存在の有無を判断する１次判断段階を実行し、
前記１次判断段階の判断結果として異物があるものと判断されると前記第１電力を伝送するように前記アンテナを制御し、
前記１次判断段階の判断結果として異物がないものと判断されると前記第１電力から前記第２電力の間の電力を伝送するように前記アンテナを制御し、
前記１次判断段階の判断結果として前記異物があるものと判断されると前記第１電力の伝送中の電力損失に基づいて前記異物の有無を判断する第２判断段階を実行する、
無線電力送信機。
【請求項１０】
前記制御器は、さらに、
伝送電力の強度を決定し、
前記伝送電力に対応する受信電力の強度に関する情報を前記復調器を通じて受信し、
前記伝送電力の強度と前記受信電力の強度の差値に基づいて電力損失を推定し、
前記推定された電力損失と所定の電力損失基準値を比較して異物の存在の有無を判断する、
よう構成されている請求項９に記載の無線電力送信機。
【請求項１１】
前記第２判断段階の判断結果として異物があるものと判断されると、前記制御器が、電力伝送を中断するようさらに構成され、
前記第２判断段階の判断結果として異物がないものと判断されると、前記制御器が、前記第１電力から前記第２電力の間の電力を伝送するように前記アンテナを制御するようさらに構成される、
請求項９に記載の無線電力送信機。
【請求項１２】
前記第２電力は前記第１電力より大きく、
前記第１電力は５Ｗである、請求項９に記載の無線電力送信機。
【請求項１３】
前記異物検出状態パケットは、無線電力受信機から受信される
請求項１に記載の方法。
【請求項１４】
前記異物検出状態パケットは、品質因子とピーク周波数の少なくとも一つを含む、
請求項１３に記載の方法。
【国際調査報告】
2021523670.tif 000039
2021523670.tif 000040
2021523670.tif 000041
2021523670.tif 000042